(57)【特許請求の範囲】
【請求項１】
遊技の動作を統括的に制御する主制御部と、遊技に伴う演出を現出するための表示装置と、前記表示装置における演出制御を司る演出制御部と、遊技者が操作可能な少なくとも１つの演出用操作手段と、を備え、所定の期間中に前記表示装置における表示演出または音響演出の演出種を前記演出用操作手段の操作により選択可能とする選択演出を実行可能に構成した遊技機において、
前記主制御部は、
始動条件の成立に基づき、複数種類の大当りに関する当否抽選を行なう大当り抽選手段と、
前記大当り抽選手段による大当り抽選に当選したことを条件に前記大当りを発生させる大当り発生手段と、
前記大当り終了後の遊技状態を通常遊技状態以外の所定の遊技状態に移行制御する遊技状態移行制御手段と、を有し、
前記演出制御部は、
前記選択演出の発動条件が達成されたか否かを監視する発動監視手段と、
前記発動監視手段において前記選択演出の発動条件が達成されることに基づき、前記大当り中において、追加の演出種を選択肢に加えて前記選択演出で選択可能な前記演出種の選択肢の範囲を明らかにした演出選択画面を前記表示装置に表示する選択画面表示手段と、
前記演出選択画面を表示する場合、前記選択肢に加えられた前記追加の演出種についての選択肢を初期の選択状態として予め設定する予設定手段と、
前記演出選択画面に表示された前記選択肢の範囲から前記演出用操作手段の操作により選ばれた演出種を選択状態として設定する手操作設定手段と、
前記選択演出の演出時間の経過または前記演出用操作手段の操作に基づき、前記予設定手段または手操作設定手段により現に選択状態にある前記選択肢の演出種を、最終的に選択されたものとして確定するとともに確定された演出種に関連する情報を記憶する演出確定手段と、を有するものであって、
前記大当りには、大当り中の遊技時間が比較的長く大当り中演出を遊技者による選択の下で実行させる対象となる第１の大当りと、前記第１の大当りよりも大当り中の遊技時間が短く大当り中演出を遊技者による選択の下で実行させる対象とならない第２の大当りとが含まれ、
前記発動監視手段は、前記所定の遊技状態において、前記第１の大当りに当選したことを前記選択演出の発動条件とし、
前記選択画面表示手段は、前記選択演出の発動条件が達成されるたびに前記追加の演出種を選択肢に加える、
ことを特徴とする遊技機。
【発明の詳細な説明】
【技術分野】
【０００１】
本発明は、所定の遊技中に実行する演出を遊技者の嗜好に応じて選択可能にした遊技機に関する。
【背景技術】
【０００２】
従来、遊技球の入賞を契機として所定の始動条件を満たすことにより表示装置での図柄の変動動作が開始され、所定時間経過後に停止表示した図柄が所定の図柄で揃ったときに、大入賞口を開放状態にする、という遊技者に有利な特別遊技状態（大当り）を付与し、その特別遊技状態中に楽曲を再生演奏するように構成したパチンコ遊技機が知られている（下記特許文献１参照）。
【０００３】
このパチンコ遊技機においては、大当り中の演出としてＢＧＭ（バックグランドミュージック）を再生演奏することが行なわれ、大当りが確変状態中に連続して連荘大当りするたびに再生演奏可能なＢＧＭの数を増加させ、遊技者が選択しうるＢＧＭの選択肢の範囲を拡大させる。また、あらかじめ選択対象として選択肢の範囲中の特定のＢＧＭが初期値として設定されており、この選択対象を切替えることなく操作受付時間が経過した場合には、最終的に初期値のＢＧＭが選択されたものとして確定される構成となっている。
【先行技術文献】
【特許文献】
【０００４】
【特許文献１】特開２００７−２０２９３８号公報
【発明の概要】
【発明が解決しようとする課題】
【０００５】
しかしながら、遊技者によっては、連荘大当りして新しいＢＧＭが選択可能対象として追加される状況において、常に新しいＢＧＭを選択して聴きたいと欲する場合がある。このような場合、選択対象として特定のＢＧＭが初期値として予設定されていると、遊技者は連荘大当りするたびに演出選択操作を行って、ＢＧＭの選択肢を指定するカーソル位置を、初期値の指定位置から追加ＢＧＭの指定位置へと切り替える必要があり、非常に煩わしいという問題があった。
【０００６】
この問題は、大当り中演出が画像の場合も同じであり、たとえば大当り中に流す背景として複数種の物語りの背景を用意し、そのうちのいずれを表示させるかを遊技者に選択させるようにする構成の下でも生じる問題である。また、上述のような大当り演出中に限らず、たとえば、所定の遊技中における演出の演出モードを複数種用意し、そのうちのいずれの演出モードで遊技を進行させるかを遊技者に選択させるようにする構成の下でも生じる問題である。
【０００７】
そこで、本発明の目的は、上記課題を解決し、演出を選択する際の選択の煩わしさを軽減した遊技機を提供することにある。
【課題を解決するための手段】
【０００８】
本発明の上記目的は、下記の手段によって達成される。なお括弧内に実施形態における対応要素を示すが、本発明はこれに限定されるものではない。
【０００９】
（１）遊技の動作を統括的に制御する主制御部（２０）と、遊技に伴う演出を現出するための表示装置（３６）と、前記表示装置における演出制御を司る演出制御部（２４、２５）と、遊技者が操作可能な少なくとも１つの演出用操作手段（１３）と、を備え、所定の期間中に前記表示装置における表示演出または音響演出の演出種を前記演出用操作手段の操作により選択可能とする選択演出を実行可能に構成した遊技機において、
前記演出制御部は、
前記選択演出の発動条件が達成されたか否かを監視する発動監視手段（Ｓ２０１〜Ｓ２０３）と、
前記発動監視手段において前記選択演出の発動条件が達成されることに基づき、追加の演出種を選択肢（３６２）に加えて前記選択演出で選択可能な前記演出種の選択肢の範囲（Ｓ２０４）を明らかにした演出選択画面（３６１）を前記表示装置に表示する選択画面表示手段（Ｓ３０３）と、
前記演出選択画面を表示する場合、前記選択肢に加えられた前記追加の演出種についての選択肢を初期の選択状態として予め設定する予設定手段（Ｓ３０５）と、
前記演出選択画面に表示された前記選択肢の範囲から前記演出用操作手段の操作により選ばれた演出種を選択状態として設定する手操作設定手段（Ｓ３０６）と、
前記選択演出の演出時間の経過または前記演出用操作手段の操作に基づき、前記予設定手段または手操作設定手段により現に選択状態にある前記選択肢の演出種を、最終的に選択されたものとして確定するとともに確定された演出種に関連する情報を記憶する演出確定手段（Ｓ３０７）と、を有する、
ことを特徴とする遊技機。
【００１０】
（２）前記主制御部は、
始動条件の成立に基づき、大当りに関する当否抽選を行なう大当り抽選手段（Ｓ１０９）と、
前記大当り抽選手段の抽選結果に基づき、大当りとなる場合の種別を複数の種別情報の中から抽選する種別抽選手段（Ｓ１０９）と、
前記大当り抽選手段による大当り抽選に当選したことを条件に前記大当りを発生させる大当り発生手段（Ｓ１１８）と、
前記大当り終了後の遊技状態を前記種別抽選手段で抽選された種別に対応した所定の遊技状態に移行制御する遊技状態移行制御手段（Ｓ１２２）と、を有し
前記大当り抽選手段の抽選結果に基づき、大当りに関連する演出を指定するための演出制御コマンドを作成し、これを前記演出制御部に指示する演出制御指示手段（Ｓ１１３）と、を有し、
前記大当りには、前記発動監視手段の監視対象となり得る第１の大当りと、当該監視対象となり得ない第２の当りと、が含まれ
前記演出制御部は、
前記発動監視手段として、前記遊技状態のうち通常遊技状態以外の所定の遊技状態中に前記大当り抽選手段による抽選で前記第１の大当りに当選したことを条件として連荘回数を加算する連荘回数加算手段（Ｓ２０３）を、有し、
前記選択画面表示手段は前記連荘回数が加算されたことを条件に前記追加の演出種を加えて前記選択肢の範囲を拡大する、
ことを特徴とする上記（１）に記載の遊技機。
【００１１】
（３）前記演出種がＢＧＭであり、前記演出制御部は、前記大当り中および前記大当り後の少なくともいずれか一方の期間中に当該ＢＧＭの再生音を音響装置（４６ａ）から出力させる、ことを特徴とする上記（２）に記載の遊技機。
【００１２】
（４）前記演出種がストーリー全体を構成する複数種類の分節ストーリーの各々であり、前記演出制御部は、前記大当り中および前記大当り後の少なくともいずれか一方の期間中に当該分節ストーリーを前記表示装置に表示させる、ことを特徴とする上記（２）に記載の遊技機。
【００１３】
（５）前記第１の大当りが高ベース大当り遊技を実行する大当りであり、前記第２の大当りが当該第１の大当りより相対的に利益率が低い低ベース大当り遊技を実行する大当りである、ことを特徴とする上記（２）〜（４）のいずれかに記載の遊技機。
【００１４】
（６）前記所定の遊技状態は、大当り抽選の当選確率が通常遊技状態より高くなる高確率遊技状態中および始動条件の成立頻度が通常遊技状態より高くなる高ベース遊技状態中の少なくともいずれか一方の遊技状態である、ことを特徴とする上記（２）〜（５）のいずれかに記載の遊技機。
【００１５】
（７）前記主制御部は、
始動条件の成立に基づき当否抽選を行なう大当り抽選手段（Ｓ１０９）と、
前記大当り抽選手段の抽選結果に基づき、利益状態の種別を決定する種別決定手段（Ｓ１０９）と、
前記大当り抽選手段による大当り抽選に当選したことを条件に前記大当りを発生させる大当り発生手段（Ｓ１１８）と、
前記大当り抽選手段の抽選結果に基づき演出制御コマンドを作成し、これを前記演出制御部に指示する演出制御指示手段（Ｓ１１３）と、を有し、
前記演出制御部は、
前記演出制御コマンドを受信可能なコマンド受信手段と、
受信した前記演出制御コマンドに基づき、前記表示装置における表示演出または音響演出の演出を決定する演出決定手段（Ｓ３０９）を有すると共に、
前記発動監視手段として、前記演出制御コマンドのうち特定の演出制御コマンドか否かを確認するコマンド確認手段および前記演出決定手段により特定の演出が決定されたか否かを確認する特定演出決定確認手段の少なくともいずれか一方を有し、
前記コマンド確認手段により前記特定の演出制御コマンドであることが確認されたことを条件に、または前記特定演出決定確認手段により前記特定の演出の決定がなされたことを条件に、前記選択演出の発動を許可することが可能な発動許可手段と、を有し、
前記選択画面表示手段は前記発動許可手段により前記選択演出の発動が許可されたことを条件に前記演出種を追加して前記選択肢の範囲を拡大する、
ことを特徴とする上記（１）に記載の遊技機。
【００１６】
（８）前記コマンド確認手段は前記特定の演出制御コマンドを受信した回数を計数可能に構成され、前記決定演出確認手段は前記特定の演出の決定がなされた回数を計数可能に構成されるものであって、
前記発動許可手段は、前記特定の演出制御コマンドを確認した回数または前記特定の演出の決定がなされた回数が所定回数に達したことを条件に、前記選択演出の発動を許可可能に構成されている、ことを特徴とする上記（７）に記載の遊技機。
【００１７】
（９）前記発動監視手段として、前記発動条件が達成された場合であっても前記発動許可手段の発動を抑制する発動抑制手段を有する、ことを特徴とする上記（７）または（８）に記載の遊技機。
【００１８】
（１０）前記選択画面表示手段は前記選択肢の範囲内を移動して所望する前記演出種を選択しうるカーソルを有する、ことを特徴とする上記（１）〜（９）のいずれかに記載の遊技機。
【発明の効果】
【００１９】
本発明によれば、たとえば連荘大当りして大当り中演出の演出種（演出の種類）が追加された場合、その追加された演出種の選択肢が選択状態に設定される。このため、新規に追加された演出を選択する場合、改めて選択操作をする必要なしに、自動的にその新しく追加された演出種の演出、たとえばＢＧＭやストーリー画像の分節ストーリーやキャラクタなどを選択し実行させることができる。
【００２０】
また、本発明によれば、通常演出中（遊技中）やデモ状態中などにあっても、遊技中に選択演出の発動条件が満たされて追加の演出種が加えられた形で演出選択画面が表示された場合、その追加された演出種の選択肢が選択状態に設定される。このため選択演出の発動が遊技中あるいはデモ状態中になされて演出選択画面の表示がなされることに基づき、改めて選択操作をする必要なしに、自動的にその新しく追加された演出種の演出の選択、たとえば突入する演出モード（演出状態）の選択、リーチ演出を行わせるキャラクタの選択などを実行させることができる。
【図面の簡単な説明】
【００２１】
【図１】本発明に係るパチンコ遊技機の外観を示す正面側の斜視図である。
【図２】本発明に係るパチンコ遊技機の遊技盤の正面側を示す図である。
【図３】本発明に係るパチンコ遊技機の制御装置を示すブロック図である。
【図４】本発明に係るパチンコ遊技機の遊技処理の前半を示すフローチャートである。
【図５】本発明に係るパチンコ遊技機の遊技処理の後半を示すフローチャートである。
【図６】本発明に係るパチンコ遊技機の大当り中演出決定処理を示すフローチャートである。
【図７】本発明に係るパチンコ遊技機の連荘回数の推移を例示した遊技状態の遷移図である。
【図８】本発明に係るパチンコ遊技機の大当り中演出テーブルを示す図である。
【図９】本発明に係るパチンコ遊技機の大当り中演出実行処理を示すフローチャートである。
【図１０】本発明に係るパチンコ遊技機の演出選択画面の表示内容の推移を示した図である。
【図１１】本発明に係るパチンコ遊技機の演出選択画面においてボタン操作によりＢＧＭ種の選択肢を切り替える推移状況を示した図である。
【図１２】本発明に係るパチンコ遊技機の具体例における遊技状態を示した遷移図である。
【図１３】本発明に係るパチンコ遊技機の他の具体例における演出選択画面の表示内容の推移を示した図である。
【図１４】図１３の具体例における遊技状態を示した遷移図である。
【図１５】本発明に係るパチンコ遊技機の変形例に係る演出選択画面の表示内容を示した図である。
【図１６】本発明の第２の実施形態に係るパチンコ遊技機の変動パターン例を示した図である。
【発明を実施するための形態】
【００２２】
以下、図面を参照しながら、本発明に係る遊技機の実施形態をパチンコ遊技機を例にして説明する。
【００２３】
［第１の実施形態］
図１は、本発明の第１の実施形態に係るパチンコ遊技機の外観を示す正面側の斜視図である。
【００２４】
＜１．構成の概要：図１、図２＞
図示のパチンコ遊技機１は、木製の外枠４の前面に額縁状の前面枠２を開閉可能に取り付け、前面枠２の裏面に取り付けた遊技盤収納フレーム（図示せず）内に遊技盤３を装着し、この遊技盤３の表面に形成した遊技領域３ａを前面枠２の開口部に臨ませた構成を有する。上記遊技領域３ａは、遊技盤３の面上に配設した球誘導レール５（図２参照）で囲まれた領域からなる。この遊技領域３ａの前側に、透明ガラスを支持したガラス扉枠６が設けられている。
【００２５】
またパチンコ遊技機１は、ガラス扉枠６の下側に配設された前面操作パネル７を有している。前面操作パネル７には上受け皿ユニット８が設けられ、この上受け皿ユニット８には、排出された遊技球を貯留する上受け皿９が形成されている。前面操作パネル７には、球貸しボタン１１およびプリペイドカード排出ボタン１２（カード返却ボタン１２）が設けられている。また、上受け皿９の上皿表面部分には、内蔵ランプが点灯されて操作可能となり、その内蔵ランプ点灯時に押下することにより演出効果を変化させることができる押しボタン式の枠演出ボタン１３が設けられている。この上受け皿９には、上受け皿９に貯留された遊技球をパチンコ遊技機１の下方に抜くための球抜きボタン１４が設けられている。
【００２６】
また、前面操作パネル７の右端部側には、発射ユニットを作動させるための発射操作ハンドル１５が設けられている。また、前面枠２の上部の両側、発射操作ハンドル１５の上側には、効果音を発生するスピーカ４６が設けられている。またさらに、ガラス扉枠６の各所には、光の装飾により演出効果を現出する装飾ランプ４５が設けられている。
【００２７】
次に、遊技盤３の遊技領域３ａについて説明する。図２に示すように、遊技盤３の略中央部には、３つ（左、中、右）の表示エリアにおいて、独立して数字やキャラクタや記号などによる図柄（装飾図柄）の変動表示が可能である画像表示装置としての液晶表示装置３６（ＬＣＤ：Ｌｉｑｕｉｄ  Ｃｒｙｓｔａｌ  Ｄｉｓｐｌａｙ）が配設されている。この液晶表示装置３６の真下には、第１の特別図柄始動口である上始動口３４と、第２の特別図柄始動口である下始動口３５とが上下に配設され、それぞれの内部には、入賞球を検出する特別図柄始動口センサ３４ａ、３５ａ（図３参照）が設けられている。下始動口３５には、左右一対の可動翼片４７が下始動口３５を開閉可能に設けられ、いわゆるチューリップ型の電動役物（普通変動入賞装置４１）を構成している。
【００２８】
上始動口３４より上左側には、ゲートからなる普通図柄始動口３７が配設されており、通過する遊技球を検出する普通図柄始動口センサ３７ａ（図３参照）が配設されている。
【００２９】
上記下始動口３５の下方には、大入賞口４０を開閉する開放扉４２ｂで開閉可能に構成した特別変動入賞装置４２が配設され、その内部には、入賞球を検出する大入賞口センサ４０ａ（図３参照）が配設されている。
【００３０】
特別変動入賞装置４２の両側に一般入賞口４３が計４つ配設されており、それぞれ内部には、遊技球の通過を検出する一般入賞口センサ４３ａ（図３参照）が形成されている。
【００３１】
また、遊技領域３ａの右上縁付近には、７セグを３桁に並べて構成される特別図柄表示装置３８と、２個のＬＥＤからなる普通図柄表示装置３９が設けられている。さらに、遊技領域３ａには、センター飾り４８、遊技球の落下方向変換部材としての風車４４や複数の遊技釘（図示せず）、複数の発光装置（ランプ、ＬＥＤ等：図示せず）などが配設されている。さらに遊技盤３の両側端部近傍にも、装飾ランプ４５などのランプ表示装置やＬＥＤ装置が配設されている。
【００３２】
遊技球が上始動口３４または下始動口３５に入賞したことに基づき、主制御基板２０（図３参照）において乱数抽選による大当りに関する抽選（大当り抽選）が行なわれる。この抽選結果に応じて特別図柄を特別図柄表示装置３８に変動表示させて、特別図柄変動表示ゲーム（図柄遊技）を開始し、一定時間経過後に、その結果を特別図柄表示装置３８に表示するようになっている。このとき、上記特別図柄変動表示ゲームに連動する形態で、装飾図柄を液晶表示装置３６に変動表示させて、装飾図柄変動表示ゲームを開始し、上記一定時間経過後に、特別図柄表示装置３８に抽選結果が表示されると共に、液晶表示装置３６にも装飾図柄によりその結果が表示される。
【００３３】
本実施形態では液晶表示装置３６により画像表示装置を構成しているが、これに限らず、画像表示装置として、プラズマディスプレイ（ＰＤＰ：Ｐｌａｓｍａ  Ｄｉｓｐｌａｙ  Ｐａｎｅｌ）、電子ペーパディスプレイ、有機ＥＬディスプレイ（ＯＥＬＤ：Ｏｒｇａｎｉｃ  ＥｌｅｃｔｒｏＬｕｍｉｎｅｓｃｅｎｔ  Ｄｉｓｐｌａｙ）等で構成しても良い。この液晶表示装置３６は、後述する液晶制御基板２５（図３参照）の制御の下で、種々の演出を画像で表示させる。すなわち、上記特別図柄変動表示ゲームでの抽選結果を反映させた演出、つまり装飾図柄を変動表示させて上記装飾図柄変動表示ゲームを現出し、これに付随して種々の予告演出（たとえば、連続予告演出やリーチ演出や背景演出など）を現出させる。
【００３４】
したがって、特別図柄表示装置３８での特別図柄変動表示ゲームの結果が「大当り」であった場合、この液晶表示装置３６の装飾図柄変動表示ゲームの結果も「大当り」を反映させた演出が現出される。また、特別図柄表示装置３８には、大当りを示す特別図柄が所定の表示態様（たとえば、２個の７セグが全て「７」の表示状態）で停止表示され、液晶表示装置３６には、「左」「中」「右」の各表示エリアにおいて、当り有効ライン上で装飾図柄が上記大当り抽選結果を反映させた所定の表示態様（たとえば、「左」「中」「右」の各表示エリアにおいて、３個の装飾図柄が「７」「７」「７」の表示状態）で停止表示される。
【００３５】
そして、この大当りとなった場合には、特別変動入賞装置ソレノイド４２ａ（図３参照）が作動して開放扉４２ｂが開き、これにより大入賞口４０が所定パターンで開閉制御されて、通常遊技状態よりも遊技者に有利な特別遊技状態（大当り遊技）が発生する。この大当り遊技では、開放扉４２ｂが所定時間（たとえば、２９秒）開放して大入賞口４０が開放されるか、または所定個数（たとえば、９個）の遊技球が入賞するまで大入賞口４０が開放され、その後、所定時間（たとえば、２秒）開放扉４２ｂが閉まって大入賞口４０を閉鎖する、といった動作（ラウンド遊技）が所定回数（たとえば、最大１５回（最大１５Ｒ（ラウンド））繰り返されるようになっている。
【００３６】
また液晶表示装置３６には、大当り中に実行する演出（大当り中演出）の種類（演出種）を複数個の演出種の中から選択するための選択肢を示す選択画面３６１（図１０、図１５参照）も表示される。
【００３７】
上記大当り遊技は、上記図柄変動表示ゲームにて大当りを示す図柄が確定表示されてから開始される。大当りが開始すると、最初に大当り開始ファンファーレによるオープニング演出が行われ、オープニング演出が終了した後、大入賞口４０が開放されるラウンド遊技が予め定めた規定ラウンド数を上限として複数回行われる。また、ラウンド遊技中では、対応するラウンド演出が行われる。そして、規定ラウンド数終了後には、大当り終了ファンファーレによるエンディング演出が行われ、大当りが終了する。
【００３８】
さらに、大当り中演出として、大当り中はＢＧＭが音響制御部（演出制御基板２４：図３参照）を通して再生演奏されて音響発生装置４６ａのスピーカ４６から出力される。このＢＧＭは、連荘大当りしたという条件（選択演出の発動条件）が達成されたことで発動される選択演出において、複数のＢＧＭ種（演出種）の中から遊技者が選択可能に構成している。この選択演出のため、大当り遊技の所定のタイミング、たとえば、１ラウンド目において、液晶表示装置３６の表示画面に、ＢＧＭ種の選択肢およびその指定をするカーソルを含んだ演出選択画面３６１（図１０、図１５参照）が表示される。ここでのカーソルは、図１０ではＢＧＭ種の選択肢が選択状態になっていることで現れる仮想的なカーソルである。しかし、図１５に示すように、実際に画像として表示される三角マークからなるカーソル３６３であってもよい。ここで遊技者が演出用操作手段である枠演出ボタン１３を操作してカーソル位置を移動させると、表示された複数のＢＧＭ種の選択肢の中から所望するＢＧＭ種の選択肢にカーソル位置を合わせることができるようになっている。
【００３９】
大当り遊技に入って選択演出が発動されて演出選択画面３６１が表示された場合、カーソルは、その初期位置として、選択演出の発動のたびに、つまり連荘大当りのたびに追加される最新のＢＧＭ種の選択肢を指定する位置に在り、これにより当該追加されたＢＧＭ種が自動的に予設定される。その後、カーソルの選択位置の変更をせずに選択演出の演出時間（演出変更可能時間）が経過することにより、カーソルによるＢＧＭ種の選択状態が最終的に選択されたものとして確定し、遊技者の所望する曲のＢＧＭが選択設定される。したがって、常に新しく追加されたＢＧＭを聴きたいと欲する遊技者は、１ラウンド目においてそのＢＧＭ種を選択する切り替え操作をする必要が無く、また選択する操作タイミングを失わないように注意を払っている必要がない。
【００４０】
本実施形態においては、最初から複数の演出の選択肢が存在する場合を例にして説明するが、連荘大当りの初回においてはＢＧＭ種の選択ができず強制的に特定のＢＧＭ種に固定されてしまうという構成にしてもよい。たとえば連荘１回目においては、ＢＧＭ種の選択肢が１つのみ或いはＢＧＭ種の選択肢が存在しない、という構成にすることができる。
【００４１】
また、遊技球が普通図柄始動口３７を通過したことに基づき、主制御基板２０において乱数抽選による補助当りに関する抽選（補助当り抽選）が行なわれる。この抽選結果に応じて２個のＬＥＤ３９により表現される普通図柄を普通図柄表示装置３９に変動表示させて、普通図柄変動表示ゲームを開始し、一定時間経過後に、その結果をＬＥＤ３９の点灯と非点灯の組合せまたは双方点灯の組合せにて停止表示するようになっている。普通図柄表示装置３９での普通図柄変動表示ゲームの結果が「補助当り」であった場合、普通図柄表示装置３９の表示部を所定パターン（たとえば、２個のＬＥＤ３９が双方共に点灯状態）にて停止表示させる。
【００４２】
そして補助当りとなった場合には、左右の可動翼片４７を駆動させるための普通電動役物ソレノイド４１ｃ（図３参照）が作動し、上記可動翼片４７が逆「ハ」の字状に開いて下始動口３５が開放または拡大されて遊技球が流入し易い状態となり、遊技者に有利な補助遊技状態（以下、「普電開放遊技」と称する）が発生する。この普電開放遊技では、普通変動入賞装置４１の可動翼片４７が、所定時間（たとえば、０．２秒）開放して下始動口３５が開放されるか、または所定個数（たとえば、５個）の遊技球が普通変動入賞装置４１（下始動口３５）に入賞するまで下始動口３５が開放され、その後、所定時間（たとえば、０．５秒）可動翼片４７が閉まって下始動口３５を閉鎖する、といった動作が所定回数（たとえば、１回）繰り返されるようになっている。
【００４３】
また、上記普電開放遊技中に遊技球が下始動口３５に入賞した場合にも、同様に上記特別図柄変動表示ゲームが行なわれ、これに伴い装飾図柄変動表示ゲームが行なわれる。各入賞口に入賞しなかった遊技球は、アウト口４９を介して遊技領域３ａから排出される。
【００４４】
なお、上記特別図柄変動表示ゲームまたは上記普通図柄変動表示ゲームを行う最中に、さらに特別図柄始動口センサ３４ａ、３５ａまたは普通図柄始動口センサ３７ａからの検出信号の入力がある場合には、この検出信号に基づいて各変動表示ゲームを行わせるための始動権利に関するデータである始動記憶（いわゆる、作動保留球）を、変動表示中にかかわるものを除き、上限の所定個数まで記憶する。そして、この始動記憶個数を遊技者に明らかにするため、パチンコ遊技機１の適所にまたは液晶表示装置３６による画面中に画像として表示させる。通常は、この始動記憶の発生順に、各始動記憶に対する変動表示ゲームが実行制御される。本実施形態では、上記上限の所定個数として、特別図柄、普通図柄に関する始動記憶をそれぞれ４個まで主制御基板２０に設けられるＲＡＭ２０３（図３参照）に記憶され、特別図柄または普通図柄の変動確定回数として保留される。
【００４５】
次に、大当り遊技終了後に発生する特定遊技状態について説明する。この特定遊技状態は、大当りの種別（詳細は追って説明する）に応じてあらかじめ定められたものであり、以下の機能が作動することで、種々の特定遊技状態が発生することになる。
【００４６】
本実施形態のパチンコ遊技機１は、主制御基板２０（主制御ＣＰＵ２０１：図３参照）がその機能部を担う、確率変動（以下、「確変」と称する）機能を備えている。これには特別図柄に係る確変機能（以下、「特別図柄確変機能」と称する）と普通図柄に係る確変機能（以下、「普通図柄確変機能」と称する）の二種類がある。
【００４７】
特別図柄確変機能は、大当り終了後に大当りの抽選確率が低確率である通常確率（たとえば、３４８分の１）から高確率（たとえば３４．８分の１）に変動する大当り確変状態を付与する機能である。すなわち、大当り確変状態においては、大当り抽選確率が低確率である低確率状態から、大当り抽選確率が高確率である高確率状態に変動している。この特別図柄確変機能の作動契機となる大当りを「確変大当り」と称し、特別図柄確変機能の作動契機とはならない大当りを「非確変大当り」称する。上記特別図柄確変機能が動作中の遊技状態（高確遊技状態）下では、大当り抽選確率が高確率に変動して大当りが生起され易くなるため、上記「確変大当り」は遊技者が最も期待する大当り種別と言える。
【００４８】
なお、大当り確変状態を継続させる条件は適宜定めることができる。たとえば、所定回数（たとえば、４回）の特別図柄変動表示ゲームが終了する迄の間（いわゆる、「回数切り確変（ＳＴ）」）、または次回の大当り遊技が開始される迄の間、もしくは所定の抽選により低確率状態に移行することが決定される迄の間（いわゆる、「転落抽選」）などを条件とすることができ、いずれの条件を付与するかは自由である。また、確変大当りを複数種類設けることにより、各確変大当りごとに、いずれの条件を付与するかを適宜定めても良い。
【００４９】
普通図柄確変機能は、大当り遊技終了後に補助当り抽選確率が低確率である通常確率（たとえば、２５６分の１）から高確率（たとえば、２５６分の２５５）に変動する補助当り確変状態を付与する機能である。普通図柄確変機能が動作中の遊技状態下では、補助当り抽選確率が高確率に変動して補助当りが生起され易くなるため、普電開放遊技が頻繁に発生し、通常遊技状態よりも単位時間当りの可動翼片４７の作動率が向上する作動率向上状態となる。なお、本実施形態のパチンコ遊技機１では、上記普通図柄確変機能の作動契機は、後述する特別図柄時短機能の作動契機と同期する形態となっている。
【００５０】
さらにまた、本実施形態のパチンコ遊技機１は、主制御ＣＰＵ２７１がその機能部を担う、変動時間短縮（以下、「時短」と称する）機能を備えている。これには特別図柄に係る時短機能（以下、「特別図柄時短機能」と称する）と普通図柄に係る時短機能（以下、「普通図柄時短機能」と称する）の二種類がある。
【００５１】
特別図柄時短機能は、大当りの抽選結果を導出する特別図柄変動表示ゲームにおける特別図柄の変動時間が短縮された特別図柄時短状態を付与する機能である。特別図柄時短機能が動作中の遊技状態下では、１回の特別図柄変動表示ゲームの時間（特別図柄が変動を開始してから確定表示される迄の時間）が、たとえば、３０秒（時短状態が付与されていないとき）から５秒（時短状態が付与されているとき）に短縮され、単位時間当りの大当り抽選回数が向上する抽選回数向上状態となる。
【００５２】
普通図柄時短機能は、補助当りの抽選結果を導出する普通図柄変動表示ゲームにおける普通図柄の変動時間が短縮された普通図柄時短状態を付与する機能である。普通図柄時短機能が動作中の遊技状態下では、１回の普通図柄変動表示ゲームの時間（普通図柄が変動を開始してから確定表示される迄の時間）が、たとえば、１０秒（時短状態が付与されていないとき）から１秒（時短状態が付与されているとき）に短縮され、通常遊技状態よりも単位時間当りの可動翼片４７の作動率が向上する作動率向上状態となる。なお、本実施形態のパチンコ遊技機１では、上記普通図柄時短機能の作動契機は、上記特別図柄時短機能の作動契機と同期する形態となっている。
【００５３】
さらにまた、本実施形態のパチンコ遊技機１は、主制御ＣＰＵ２７１がその機能部を担う、開放延長機能を備えている。
【００５４】
開放延長機能は、普通変動入賞装置４１の可動翼片４７を開動作させる期間およびその開放回数を延長した開放延長状態を遊技者に付与する機能である。開放延長機能が動作中の遊技状態下では、開放延長状態が付与されると、可動翼片４７の開動作期間がたとえば０．２秒から１．７秒に延長され、また開閉回数が、たとえば最大２回（開放延長状態が付与されていないとき）から最大３回（開放延長状態が付与されているとき）に延長され、通常遊技状態よりも単位時間当りの可動翼片４７の作動率が向上する作動率向上状態となる。本実施形態のパチンコ遊技機１では、上記開放延長機能の作動契機は、上記特別図柄時短機能の作動契機と同期する形態となっている。したがって、開放延長機能が動作中の遊技状態下では、普通図柄確変機能および普通図柄時短機能も動作中となるので、可動翼片４７の作動率が著しく向上するようになっている。
【００５５】
本実施形態では上記の普通図柄に関する機能、すなわち普通図柄確変機能、普通図柄時短機能、および開放延長機能は、特別図柄時短機能の作動契機と同期する形態となっているため、３つの機能が同じ契機にて動作することになる。しかし、上記の普通図柄確変機能、普通図柄時短機能、および開放延長機能を個々に着目した場合、これらの機能のうち少なくともいずれか１つが作動すると、上記の可動翼片４７の作動率が向上する作動率向上状態となり下始動口３５への入賞頻度が高くなることから、遊技状態としては、大当りの抽選結果を導出する特別図柄変動表示ゲームの始動条件の成立頻度が通常遊技状態より高くなる「高ベース遊技状態（始動条件向上状態）」に移行することになる。なお、ここでいう「高ベース遊技状態」とは、上記のように普通図柄に関する機能が作動する場合の遊技状態をいい、特別図柄に関する機能、すなわち特別図柄確変機能および特別図柄時短機能の少なくともいずれか１つが作動する場合の遊技状態とは異なる。
【００５６】
特別図柄に関する機能を個々に着目した場合、上記特別図柄確変機能が作動する場合には通常遊技状態よりも大当りが生起し易くなる、つまり大当り抽選の当選確率が通常遊技状態より高くなる高確率遊技状態となり、上記特別図柄時短機能が作動する場合には特別図柄変動表示ゲームの消化時間が通常遊技状態よりも速まる特別図柄時短遊技状態となる。この点において、特別図柄変動表示ゲームの始動条件の成立頻度が通常遊技状態より高くなる「高ベース遊技状態」とは区別される。
【００５７】
本実施形態では上記「高ベース遊技状態」の一例として、可動翼片４７の作動率が著しく向上する開放延長機能が付与された遊技状態を「高ベース遊技状態」として扱う。普通変動入賞装置４１の可動翼片４７は、開放延長機能が付与されている「高ベース遊技状態」下では、開放延長機能が付与されていない状態（本実施形態では「通常遊技状態」に相当する）に比較して、遊技者にとって有利な高ベース遊技状態の動作をすることになる。
【００５８】
次に、本実施形態のパチンコ遊技機１における大当りについて説明する。ここで、本実施形態のパチンコ遊技機１は、上述したように、特別図柄確変機能、普通図柄確変機能、特別図柄時短機能、普通図柄時短機能、および開放延長機能を有している。また、普通図柄確変機能、普通図柄時短機能、および開放延長機能の作動契機は、特別図柄時短機能の作動契機と同期するようになっている。以下では、説明の便宜上、特別図柄時短機能、普通図柄確変機能、普通図柄時短機能、および開放延長機能が動作する遊技状態を「時短遊技状態（以下、「時短状態」と略す）」と称し、この時短状態に加えてさらに特別図柄確変機能が動作する遊技状態を「確変遊技状態（以下、「確変状態」と略す）」と称し、特別図柄確変機能のみが動作する遊技状態を「潜伏確変遊技状態（以下、「潜伏確変状態」と略す）」と称し、いずれの機能も動作中でない状態（大当り遊技中は除く）を「通常遊技状態」と称する。
【００５９】
本実施形態のパチンコ遊技機１では、上記の特別図柄変動表示ゲームで抽選される大当りの種別として、非確変大当りの「１５Ｒ非確変大当り」と、確変大当りの「１５Ｒ確変大当り」「２Ｒ突然確変大当り（２Ｒ突確大当り）」および「２Ｒ潜伏確変大当り」と、が設けられている。
【００６０】
これらの大当りによる大当り遊技のうち、１５Ｒ非確変大当りと１５Ｒ確変大当りでは、ラウンド遊技数（大入賞口４０の開放回数）が最大規定回数の１５ラウンド行われ、２Ｒ突確大当りと２Ｒ潜伏確変大当りでは、２ラウンド行われる。また、上記２Ｒ突確大当りと２Ｒ潜伏確変大当りについては、１回のラウンド遊技中の大入賞口４０の開放時間が１５Ｒ非確変大当りや１５Ｒ確変大当りよりも短く（たとえば、０．５秒）設定されている。
【００６１】
また大当り遊技終了後には、その大当りに応じた特定遊技状態が発生するようになっている。具体的には、１５Ｒ確変大当りと２Ｒ突確大当りとには次回大当りが確定（大当り遊技が発生）するまで「確変状態」が発生し、２Ｒ潜伏確変大当りには次回大当りとなるまで潜伏確変状態が発生し、１５Ｒ非確変大当りには特別図柄変動表示ゲーム回数が所定回数（たとえば、１００回）終了するまでの間か、またはその所定回数内で大当りが確定するまでの間、「時短状態」が発生するようになっている。ここで、確変状態中または時短状態中では、開放延長機能が付与されるので、これら遊技状態は「高ベース遊技状態」となっている。
【００６２】
また上述した大当りの他、２Ｒ潜伏確変大当りによる大当り遊技の場合と実質的に同じ遊技動作態様で大入賞口４０が２回開閉される当り状態（小当り遊技）が付与される「小当り」を設けてある。つまり、この小当り遊技は、２Ｒ潜伏確変大当りによる大当り遊技中の遊技動作態様との違いを遊技者が識別困難とする遊技動作態様で行われる。
【００６３】
したがって、小当り遊技中に遊技者に付与される遊技価値と２Ｒ潜伏確変大当りによる大当り遊技中に遊技者に付与される遊技価値とは、実質的に同じとなる。しかし小当り遊技終了後には、当該小当りの当選時の遊技状態がそのまま継続されるようになっており、この点において、上記の特定遊技状態の発生する大当りとはその性質を異にする。たとえば、通常遊技状態中に「小当り」に当選した場合、その小当り遊技終了後の遊技状態は、小当り当選時の遊技状態である通常遊技状態となる。以下、特に必要がない限り、上記小当りについては他の大当りと区別することなく大当りの種別の一つとして同列に扱うことにする
なお、上記のいずれかの大当りに当選した場合、特別図柄表示装置３８における特別図柄に関しては、そのまま抽選結果が反映した特別図柄が表示される。つまり特別図柄表示装置３８には、確変大当りを報知する特別図柄または非確変大当りを報知する特別図柄もしくは確変大当りか非確変大当りかいずれかの可能性があることを報知する特別図柄が表示される。一方、液晶表示装置３６には、当選した大当りが確変大当りであっても、装飾図柄に関しては必ずしも最初から当該確変大当りが明らかとなる図柄で表示することを行わない。通常、遊技者は液晶表示装置３６の装飾図柄変動表示ゲームを見ながら遊技に興じているので、当該ゲーム結果が非確変大当り種別を示す図柄であっても、遊技者に確変大当りへの期待感を残すためである。
【００６４】
次に、遊技状態おける演出の演出モードについて説明する。本実施形態のパチンコ遊技機１には、報知すべき現在の遊技状態に関連した演出の演出モードとして、大当り抽選確率が高確率状態であることを確定的に報知する演出をなす「確変確定演出モード」と、時短状態であることを確定的に報知する演出をなす「時短演出モード」と、大当り当選確率状態を隠匿状態とする特別演出モード、具体的には、大当り抽選確率が高確率状態であるかのように装い、現在の遊技状態を隠匿して遊技者に潜伏確変状態の期待感を与える「確変隠匿演出モード」と、が設けられている。
【００６５】
さらにまた、小当りの当選情報、すなわち小当りフラグが設定状態であるかまたは非設定状態であるかに依存して決定される２つの演出モードを備えている。その一つは小当りフラグが非設定状態のときにとる通常演出モードであり、他の一つは小当りフラグが設定状態のときにとる確変隠匿演出モード（ガセの場合）である。なお、上記小当りフラグは、小当りの当選を契機に設定状態にされ、所定の抽選（モード転落抽選）によりその設定が非設定状態に変更される。
【００６６】
本実施形態のパチンコ遊技機１では、上記のように遊技状態に応じた複数の演出モードを設定し、その演出モード間の行き来を可能に構成している。具体的には、確変状態であれば「確変確定演出モード」に、時短状態であれば「時短演出モード」に、潜伏確変状態であれば「確変隠匿演出モード（本物）」に移行制御され、通常遊技状態においては、小当りフラグに依存して「通常演出モード」または「確変隠匿演出モード（ガセ）」に移行制御される。特に、通常遊技状態から小当りまたは２Ｒ潜伏確変大当りに当選した場合、その大当り遊技中の遊技動作態様は実質的に同じ動作に制御され、その大当り遊技終了後の演出モードも同じ「確変隠匿演出モード」に移行制御され、さらにまた大当り遊技終了後に開放延長機能が作動せずに可動翼片４７の作動率向上状態ともならない。結果として大当り抽選確率状態が隠匿され、現在の遊技状態の識別が困難になる。
【００６７】
＜２．制御装置：図３＞
図３は、上記のような遊技の進行状況に応じた遊技機制御を行う制御装置の概要を示した制御ブロック図である。
【００６８】
この制御装置は、遊技動作全般の制御を司る主制御基板２０（主制御部）と、主制御基板２０から演出制御コマンドを受けて、光と音についての演出制御を行う演出制御基板２４と、この演出制御基板２４からの指示を受けて画像についての演出制御を行う液晶制御基板２５と、を中心に構成される。そして、液晶制御基板２５には、画像表示装置としての液晶表示装置３６が接続されている。なお本明細書においては、場合により、演出制御基板２４の機能と液晶制御基板２５の機能を特に区別することなく、両機能を併せ持つ制御装置部分を「演出制御部」として説明する。なお本明細書において、演出装置といった場合、液晶表示装置３６やランプやＬＥＤや音響発生装置、可動体など、画像や光や音、可動体の動作態様によって演出を行う装置を広く指す。
【００６９】
（２−１．主制御基板２０）
主制御基板２０は、主制御ＣＰＵ２０１を内蔵したマイクロプロセッサを搭載すると共に、一連の遊技機制御手順を記述した制御プログラムや制御データ等を格納したＲＯＭ２０２と、ワークエリアが形成されるＲＡＭ２０３を搭載して、１チップマイクロコンピュータを構成している。また図示はしていないが、一定周期のパルス出力を作成する機能や時間計測の機能等を有するＣＴＣ（Ｃｏｕｎｔｅｒ  Ｔｉｍｅｒ  Ｃｉｒｃｕｉｔ）やＣＰＵに割り込み信号を付与する割り込みコントローラ回路が設けられている。
【００７０】
また主制御基板２０には、上始動口３４への入賞を検出する特別図柄始動口センサ３４ａと、下始動口３５への入賞を検出する特別図柄始動口センサ３５ａと、普通図柄始動口３７の通過を検出する普通図柄始動口センサ３７ａと、一般入賞口４３への入賞を検出する一般入賞口センサ４３ａと、大入賞口４０への入賞を検出する大入賞口センサ４０ａとが接続され、主制御基板２０はこれらの各検出信号を受信可能となっている。
【００７１】
また主制御基板２０には、特別図柄表示装置３８、普通図柄表示装置３９、下始動口３５の可動翼片４７を開閉制御するための普通変動入賞装置ソレノイド４１ａ、および、大入賞口４０の幅広な開放扉４２ｂを開閉制御するための特別変動入賞装置ソレノイド４２ａが接続され、主制御基板２０は各装置を制御するための制御信号を送信可能となっている。
【００７２】
また主制御基板２０は、遊技者に有利な特別遊技状態を発生させる「大当り」またはこの特別遊技状態を発生させない「ハズレ」のいずれであったかを抽選するとともに、その抽選結果である当否情報に応じて特別図柄の変動パターンや停止図柄を決定し、少なくともこの抽選結果と変動パターンとを含む演出制御コマンドや、決定された停止図柄に基づく装飾図柄コマンドを作成して演出制御基板２４に送信する構成となっている。
【００７３】
主制御基板２０からの演出制御コマンドは、一方向通信により演出制御基板２４に送信される。これは、外部からのゴト行為による不正な信号が演出制御基板２４を介して主制御基板２０に入力されることを防止するためである。
【００７４】
（２−２．演出制御基板２４）
演出制御基板２４は、演出制御ＣＰＵ２４１を内蔵したマイクロプロセッサを搭載すると共に、演出制御手順を記述した制御プログラムや演出データ等を格納した演出制御ＲＯＭ２４２と、ワークエリアが形成される演出制御ＲＡＭ２４３と、を搭載していて、１チップマイクロコンピュータを構成している。また図示はしていないが、音源ＩＣ、ＣＴＣ、および割り込みコントローラ回路などが設けられている。この演出制御基板２４の主な役割は、主制御基板２０からの演出制御コマンドの受信、演出パターンの抽選、液晶制御基板２５への液晶制御コマンドの送信、スピーカ４６の音制御、枠ランプ・ＬＥＤの発光制御、可動体の可動制御、各種エラーの報知などである。
【００７５】
演出制御基板２４は、光と音についての演出処理を行うため、装飾ランプ４５やＬＥＤを含む光表示装置４５ａに対する光表示制御部と、スピーカ４６を含む音響発生装置４６ａに対する音響制御部とを備えている。
【００７６】
また、演出制御基板２４は、演出制御コマンドを受けて、変動パターンに対応する演出パターンを抽選し、液晶表示装置３６の画面に映像で演出表示をさせるべく、液晶制御基板２５に対して液晶制御コマンドを送信する構成となっている。
【００７７】
また、演出制御基板２４には、枠演出ボタン１３が接続されている。この枠演出ボタン１３は遊技者が操作可能な押しボタンからなり、大当り中演出の選択肢を指定するためカーソル位置（現在選択位置）を移動させる場合や、遊技者参加型の昇格演出ゲームに遊技者が参加するときなどにおいて遊技者により操作される。
【００７８】
演出制御ＲＯＭ２４２は、大当り中演出制御プログラム２４４と、大当り中演出データテーブル２４５とを含む。演出制御ＲＡＭ２４３は、連荘カウンタ２４６として連荘回数記憶エリアと、ラウンド数を記憶するエリア（図示せず）とを含む。
【００７９】
連荘カウンタ２４６は連荘回数（連荘大当り回数）を計数するが、この連荘回数には、２Ｒ突確大当りや２Ｒ潜伏確変大当りや小当りのような、いわゆる２Ｒ系に属する大当り（２Ｒ突確大当り、２Ｒ潜伏確変大当り、小当り）の場合は含めない。本発明において、大当りには、大当り中の遊技時間が比較的長く大当り中演出を遊技者による選択の下で実行させる対象となる第１群に属する少なくとも１つの大当りと、当該第１群の大当りよりも大当り中の遊技時間が短く大当り演出を遊技者による選択の下で実行させる対象とならない第２群に属する少なくとも１つの大当りとを含む。２Ｒ系に属する大当りは、実際上の賞球払出が行われることが殆どない大当りであって、大当り遊技期間が短いことから、ＢＧＭの再生演奏が行われないため、上記の第２群に属する大当りである。ＢＧＭが再生演奏されるのは遊技消化にある程度の時間がかかる大当り遊技が対象となる。これには１５Ｒ系大当り（１５Ｒ確変大当りや１５Ｒ非確変大当り）や７Ｒ大当りのように、比較的多くの賞球払出がある高ベース大当り遊技が実行されるもの、すなわち上記の第１群に属する大当りが該当し、上記の２Ｒ系に属する大当りのように賞球払出が殆どないか少ない低ベース大当り遊技が実行されるものは該当しない。すなわち、高ベース大当り遊技を実行する大当りは上記第１群に属し、当該第１の大当りより相対的に利益率が低い低ベース大当り遊技を実行する大当りは上記第２群に属する。
【００８０】
なお上記第１群の大当りまたは第２群の大当りとして分別する条件として、「大当り中演出を遊技者による選択の下で実行させる対象となる大当り」であるか否かを取り扱っているが、これは次の理由による。たとえば、１５Ｒ確変大当りと７Ｒ確変大当りという２種類の大当り種別を持つ遊技機であって、どちらも大当り中の演出としてＢＧＭの再生演奏が行われるが、１５Ｒ確変大当り中は遊技者によるＢＧＭ種の演出の選択が許容されるが、７Ｒ確変大当りについては遊技者によるＢＧＭ種の演出の選択が許容されない、というケースの場合、１５Ｒ確変大当りを連荘大当り回数として加算して行き、７Ｒ確変大当りについては連荘大当り回数として加算しない、という扱いにするためである。
【００８１】
演出制御ＲＯＭ２４２は、大当り中演出データ記憶領域２４５に、上記連荘回数に応じて大当り中演出の選択肢となる複数の演出種を記憶している。本実施形態では楽曲による演出を扱っており、図８に示すように、選択可能なＢＧＭとして、１つまたは複数個のＢＧＭ種を含む連荘１回目用ＢＧＭデータと、当該連荘２回目以降で前回のＢＧＭ種に順次新たなＢＧＭ種を追加した形の連荘２回目以降のＢＧＭデータとを含んでいる。
【００８２】
演出制御ＣＰＵ２４１は、主制御ＣＰＵ２０１から演出制御コマンドを受けて各種演出を実行制御する演出制御手段として機能する。たとえば、演出制御ＣＰＵ２４１は、主制御ＣＰＵ２０１からの演出制御コマンドを受けて、大当り中演出制御プログラム２４４に基づいて、大当り遊技中にＢＧＭを再生演奏する大当り中演出制御手段として機能する。具体的には、上記演出制御手段は、主制御ＣＰＵ２０１から出制御コマンドを受信するコマンド受信手段と、その受信した演出制御コマンドに基づき、前記表示装置における前記表示演出または音響演出の演出内容（演出シナリオ）を決定する演出決定手段と、決定された演出内容を実行制御する演出実行制御手段としての役割を果たす。
【００８３】
また演出制御ＣＰＵ２４１は、所定の遊技中に上記選択演出の発動条件が達成されたか否かを監視する発動監視手段として機能する。本実施形態では、発動監視手段として、大当り終了後の遊技状態のうち通常遊技状態以外の所定の遊技状態中に、大当り抽選で上記第１の大当り（第１群に属する大当り）に当選したことを条件として連荘回数を加算する連荘回数加算手段を有する。
【００８４】
ここで所定の遊技状態とは、大当り抽選の当選確率が通常遊技状態より高くなる高確率遊技状態中および始動条件の成立頻度が通常遊技状態より高くなる高ベース遊技状態中の遊技状態の少なくともいずれか一方の遊技状態である。本実施形態では、始動条件の成立頻度および特別図柄変動表示ゲームの消化時間を考慮し、次回の大当りへの当選が短時間で到来する可能性がある遊技状態である時短状態または確変状態を、上記連荘回数加算手段が作用する遊技状態としている。
【００８５】
しかし遊技機の種類によっては、時短状態のみしか持たない遊技機があり、このような遊技機の場合、上記連荘回数加算手段は時短状態中に第１群の大当りがあるたびに上記連荘回数を加算して行くことになる。また、高確率遊技状態のみしか持たない遊技機である場合は、その高確率遊技状態中に第１群の大当りに当選したことを条件に、上記連荘回数を加算して行くことになる。
【００８６】
また演出制御ＣＰＵ２４１は、上記発動監視手段において、選択演出の発動条件が達成されることに基づき、追加の演出種を選択肢に加えて当該選択演出で選択可能な当該演出種の選択肢の範囲を明らかにした演出選択画面を前記表示装置に表示する選択画面表示手段として機能する。本実施形態の選択画面表示手段は、上記連荘回数加算手段により連荘回数が加算されることを条件に、上記演出種を追加して選択肢の範囲を拡大させ、液晶表示装置３６の演出選択画面に表示される演出種の選択肢の範囲に、追加の演出種が新たに加えられることになる。
【００８７】
また演出制御ＣＰＵ２４１は、上記演出選択画面が表示された際に選択肢に加えられた追加の演出種についての選択肢を初期の選択状態として予め設定する予設定手段として機能する。ここでの選択状態は、上記の追加された演出種の選択肢が最前面に来ること、または明るく表示されることなどで、遊技者に判る選択状態となることであり、これを仮想的なカーソルにより指示または選択された状態と見ることができるとともに、具体的な三角マークなどのカーソルを該当する演出種の選択肢に合わせることも、この選択状態に含まれる。
【００８８】
また演出制御ＣＰＵ２４１は、上記演出選択画面に表示された選択肢の範囲から枠演出ボタン１３（演出用操作手段）の操作により選ばれた演出種を選択状態として設定する手操作選択設定手段として機能する。
【００８９】
また演出制御ＣＰＵ２４１は、上記選択演出の演出時間の経過または枠演出ボタン１３（演出用操作手段）の操作に基づき、上記予設定手段または手操作設定手段により現に選択状態にある選択肢の演出種を、最終的に選択されたものとして確定するとともに確定された演出種に関連する情報を記憶する演出確定手段として機能する。選択演出では、遊技者が枠演出ボタン１３を操作せずに何もしないで放置しておくと、予設定手段により初期の選択状態として予め設定された新規追加の演出種（ＢＧＭ種）についての選択肢が、自動的に確定された演出種（ＢＧＭ種）として設定される。しかし演出用操作手段が選択スイッチ部と確定スイッチ部の２部分からなる手操作スイッチにより構成し、選択スイッチ部で演出種を選択した後に確定スイッチ部を押すことによっても、最終的な設定として確定する形態とすることもできる。上記選択演出の演出時間は、本実施形態の場合、１ラウンド遊技が終了するまでの期間であるが、大当り開始ファンファーレが行われる期間内とすることもできる。
【００９０】
（２−３．液晶制御基板２５）
液晶制御基板２５には、演出制御基板２４から受信した液晶制御コマンドに基づいて表示制御を行うために必要な制御データを生成してＶＤＰ６０に出力する液晶制御ＣＰＵ５２と、液晶制御ＣＰＵ５２の動作手順を記述したプログラムを内蔵する液晶制御ＲＯＭ５３と、ワークエリアやバッファメモリとして機能する液晶制御ＲＡＭ５４とが設けられている。
【００９１】
また、液晶制御基板２５には、液晶制御ＣＰＵ５２に接続されて画像展開処理を行う映像表示プロセッサＶＤＰ（Ｖｉｄｅｏ  Ｄｉｓｐｌａｙ  Ｐｒｏｃｅｓｓｏｒ）６０と、ＶＤＰ６０が画像展開する必要な画像データを格納した画像データＲＯＭ５５と、ＶＤＰ６０が展開した画像データを一時的に記憶するＶＲＡＭ５６とが設けられている。
【００９２】
遊技状態に関する情報は、まず、大当り抽選の結果（大当りかハズレかの別）に基づく特別図柄変動パターン、現在の遊技状態、作動保留球数、抽選結果に基づき停止させる装飾図柄等に必要となる基本情報が、演出制御コマンドにより主制御基板２０から演出制御基板２４へと送信される。
【００９３】
演出制御基板２４側では、主制御基板２０から送られてくる演出制御コマンドにより指示された演出シナリオに対応する演出パターンが、あらかじめ用意された多数の演出パターンの中から抽選により決定され、この決定された演出パターンを実行指示する制御信号が演出制御基板２４から音響発生装置４６ａおよび光表示装置４５ａに送られる。これにより、演出パターンに対応する効果音の再生と、装飾ランプ４５やＬＥＤ等の点灯点滅駆動とが実現される。また演出制御基板２４は、主制御基板２０から送信される演出制御コマンドを受けて、これに関連付けられた液晶制御コマンドを、液晶表示装置３６に表示する画像の再生が必要なタイミングで液晶制御基板２５に対し送信する。液晶制御基板２５はこれにより、演出パターンに対応した画像による演出が実現される。
【００９４】
なお、演出制御コマンドは、１バイト長のモード（ＭＯＤＥ）と、同じく１バイト長のイベント（ＥＶＥＮＴ）からなり、これらの情報を有効なものとして送信する場合、モード（ＭＯＤＥ）およびイベント（ＥＶＥＮＴ）各々に対応してストローブ信号が出力される。すなわち、主制御ＣＰＵ２０１は、送信すべきコマンドがある場合、演出制御基板にコマンドを送信するためのモード（ＭＯＤＥ）情報の設定および出力を行い、この設定から所定時間経過後に１回目のストローブ信号の送信を行なう。さらに、このストローブ信号の送信から所定時間経過後にイベント（ＥＶＥＮＴ）情報の設定および出力を行い、この設定から所定時間経過後に２回目のストローブ信号の送信を行なう。演出制御ＣＰＵ２４１は、ストローブ信号が送信されて来ると、これに対応して割り込みを発生させ、この割り込み処理によってコマンドを受信する。ストローブ信号は主制御ＣＰＵ２０１により、演出制御ＣＰＵ２４１が確実にコマンドを受信することが可能な所定期間アクティブ状態に制御される。
【００９５】
液晶制御コマンドの送信に際しては、演出制御基板２４は割り込み用ストローブ信号を発生し、液晶制御基板２５にＭＯＤＥ信号とＥＶＥＮＴ信号とで構成される２バイト長の液晶制御コマンドを前後して送信する。なお、ここでも不正な行為に対する安全性を確保するため、液晶制御基板２５から主制御基板２０へは信号が流れないように構成される。
【００９６】
＜３．遊技動作処理、図４〜図５＞
次に、本実施形態のパチンコ遊技機１に係る遊技動作の制御を、図４〜図１１に沿って説明する。
【００９７】
まず、図４のフローにおいて、ステップＳ１０１の処理で、特別図柄始動口センサ３４ａ、３５ａにより始動口（上始動口３４または下始動口３５）への遊技球の入賞が検出され、その検出信号が入力されることで主制御基板２０（主制御ＣＰＵ２０１）側で始動条件の成立が認識される（ステップＳ１０１：ＹＥＳ）。つまり、特別図柄変動表示ゲームの開始条件が成立する。このとき作動保留球数が４未満（ステップＳ１０２：ＮＯ）ならば作動保留球数を１加算する（ステップＳ１０３）。この後、増加した保留球数に対応した保留コマンドを送信する（ステップＳ１０４）。なお、図示はしていないが、主制御基板２０は、上記特別図柄変動表示ゲームを行う最中または大当り遊技中に特別図柄始動口センサ３４ａ、３５ａからの検出信号の入力を確認した場合にも、当該検出信号に基づく作動保留球を、変動表示中にかかわるものを除き、上限の所定個数まで記憶する。
【００９８】
上記始動条件の成立が認識されると、主制御基板２０にて抽選用乱数（大当り判定用乱数）が取得され（ステップＳ１０５）、その乱数値が搭載ＲＡＭ２０３（始動保留記憶手段）に記憶される。一方、作動保留球数が４以上の場合（ステップＳ１０２：ＹＥＳ）、上記ステップＳ１０３〜Ｓ１０５の処理は行わず、ステップＳ１０６の処理に進む。
【００９９】
次いで、ステップＳ１０６の処理に進み、作動保留球数が０であるか否かを確認し、作動保留球数が０の場合には（ステップＳ１０６：ＹＥＳ）、始動口への入賞は１つもないと判断され、再びステップＳ１０１に戻り、始動口への入賞を確認することになる。
【０１００】
作動保留球数がゼロでない場合には（ステップＳ１０６：ＮＯ）、作動保留球数が１減算され（ステップＳ１０７）、減少した保留球数に対応した保留コマンドを送信する（ステップＳ１０８）。
【０１０１】
次いで、大当り判定処理を実行する（ステップＳ１０９）。この大当り判定処理では、ステップＳ１０５で取得した乱数値に基づいて、遊技者に有利な特別遊技状態を発生させる「大当り」またはこの特別遊技状態を発生させない「ハズレ」のいずれであったかを大当りに関する当否抽選（内部抽選）を行い（大当り抽選手段に相当）、次いで、その当否抽選結果に基づき、大当りとなる場合の種別を複数種類の大当り種別情報のうちから抽選する図柄抽選を行う（種別抽選手段または種別決定手段に相当）。これら抽選を経ることで大当りかハズレかの別、大当りならばその大当りの種別が決定され、これに基づいて特別図柄変動表示ゲームにて特別図柄表示装置３８に停止表示する停止図柄（停止特別図柄）が決定される。これに対応して装飾図柄も確定すると共に、この決定される特別図柄に対応して確変・非確変の別とラウンド数が決定される。そして、ステップＳ１１０の当選時情報記憶処理に進み、大当りに内部当選した時点における停止図柄や大当りの種別などの情報をＲＡＭ２０３のバッファに記憶する（ステップＳ１１０）。
【０１０２】
次いで、変動パターン決定処理に進む（ステップＳ１１１）。この変動パターン決定処理は、主制御基板２０側で、上記大当り判定処理の結果に基づく特別図柄に関する変動パターン（コマンド）を、予め用意された多数の変動パターンの中から抽選することにより決定し、決定した変動パターンコマンドを、上記図柄抽選による停止図柄に対応する装飾図柄を指定する装飾図柄指定コマンドと共に、演出制御コマンドとして演出制御基板２４に送信する。この送信される変動パターンコマンドは、それ自体に、図柄の変動時間、内部抽選結果の当否情報（大当りやハズレの別）といった変動パターン情報を持つ。
【０１０３】
図４において、上記変動パターン決定処理を終わるとステップＳ１１２の演出抽選処理に進む。
【０１０４】
演出制御ＣＰＵ２４１は、主制御基板２０から演出制御コマンドを受信すると、これに含まれている変動パターンコマンドおよび装飾図柄指定コマンドを解析し、解析結果に基づいて、対応する演出シナリオを有する演出パターンを、演出パターン群の中から抽選により決定する（ステップＳ１１２）。
【０１０５】
この演出抽選処理では、演出制御基板２４側において装飾図柄に関する変動パターンや装飾図柄の変動表示と共に表示させるべき演出内容、つまり演出シナリオを決定することになる。ここでの「演出シナリオ」とは、装飾図柄の変動パターンに対応する狭義の演出パターン（停止表示を含む）に、背景演出や予告演出を含めた広義の演出パターンを指す。
【０１０６】
したがって、この演出抽選処理では、主制御基板２０から送られてくる変動パターンコマンドに基づき、大当りおよびハズレ別に、昇格演出ゲーム発生の有無、どのような装飾図柄内容を停止させるか（大当りの場合には確変大当り図柄または通常大当り図柄（非確変大当り図柄）のどちらで停止させるか、またその図柄の停止表示態様）、あるいは予告演出（連続変動予告、リーチ演出や背景演出）の有無やその内容を含む演出シナリオを決定する。
【０１０７】
上記のように図柄変動パターンについての演出シナリオが決定されると、特別図柄の変動表示が開始され、このタイミングで装飾図柄の変動表示もこれに連動して開始される（ステップＳ１１３）。演出制御基板２４側では、上記演出シナリオに対応するように、音制御信号や発光制御信号の出力が行われ、また演出制御基板２４から液晶制御基板２５に液晶表示装置３６の「液晶制御コマンド」が送信される。これにより特別図柄表示装置３８における特別図柄変動表示ゲームと、これと連動する形で液晶表示装置３６における装飾変動表示ゲームが実現される。
【０１０８】
ここで、特別図柄変動表示ゲームの結果（内部抽選結果）を反映したものが装飾図柄変動表示ゲームになるので、本明細書では、この２つの図柄変動表示ゲームを等価的な図柄遊技と捉え、特に必要がない限り特別図柄と装飾図柄を区別することなく単に「図柄」と表現し、以下では、装飾図柄に関する動作を中心に説明することにする。
【０１０９】
上記図柄変動と演出の表示が開始された後、プログラムは図５のフローチャートに進み、図柄の変動時間経過後、主制御基板２０は、演出停止を指示する演出停止コマンドを演出制御基板２４に送信し、図柄の変動表示を停止表示すると共に上記変動表示中の演出を終了する（ステップＳ１１４）。
【０１１０】
ここで、主制御基板２０は、特別図柄変動表示装置３８における停止特別図柄が大当りを示す大当り図柄であるか否かを判断し（ステップＳ１１５）、大当り図柄でなければ（ステップＳ１１５：ＮＯ）、現在の遊技状態が時短中か否かを判断し（ステップＳ１２４）、時短中であれば（ステップＳ１２４：ＹＥＳ）、図柄変動の変動時間の短縮状態を管理する時短遊技管理処理（ステップＳ１２５）を実行した後、図４のステップＳ１０１に戻る。時短中でなければ（ステップＳ１２４：ＮＯ）、そのまま図４のステップＳ１０１に戻る。
【０１１１】
ステップＳ１１５の判断として、大当り図柄であるならば（ステップＳ１１５：ＹＥＳ）、次いで、大当り開始Ｆコマンド決定処理が行われる（ステップＳ１１６）。なお「Ｆコマンド」はファンファーレコマンドの略称である（以下同じ）。
【０１１２】
ここではステップＳ１１５の判断材料として停止図柄としているが、当否情報を含んだたとえば変動パターンコマンドの一部または全部を判断することで大当り状態を把握するようにしてもよい。勿論、大当り図柄に変わるフラグ等によって状態を管理し判断材料とするようにしてもよい。
【０１１３】
この大当り開始Ｆコマンド決定処理では、図示してない大当り開始Ｆコマンド選択テーブルを参照して、大当り当選時の遊技状態と大当り種別とに基づき、大当り当選時データに対応する「大当り開始Ｆコマンド」を決定する。
【０１１４】
本実施形態の場合、遊技機の遊技状態として、通常遊技状態、時短状態（低確率、開放延長あり）、潜伏確変状態、確変状態の４つを取り扱っている。また上記通常遊技状態を小当りフラグの内容に応じてさらに２つに分け、通常状態（小当りフラグ非設定状態）、ガセ確変隠匿状態（小当りフラグ設定状態）とすると、計５つの状態がある。
【０１１５】
また大当り当選時の「大当り種別」には、１５Ｒ確変大当り、１５Ｒ非確変大当り、２Ｒ突確大当り、２Ｒ潜伏確変大当り、小当りの５種類があるが、さらに多くの大当り種別を含ませることもできる。
【０１１６】
この５種類の遊技状態と５種類の大当り種別との組合せで区分される大当り開始Ｆコマンドが、主制御基板２０から演出制御基板２４に送信される。
【０１１７】
演出制御基板２４側は、この主制御基板２０から送られて来る大当り開始Ｆコマンドが上記組合せのいずれの区分に属するかに基づいて、演出モード移行先を決定することが可能になる。
【０１１８】
上記大当り開始Ｆコマンド決定処理（ステップＳ１１６）に続いて、大当り中演出決定処理を実行する（ステップＳ１１７）。
【０１１９】
（３−１．大当り中演出決定処理、図６）
図６は、この大当り中演出決定処理の内容を示したものである。図６に示すように、この大当り中演出決定処理においては、受信した大当り開始Ｆコマンドを解析し（ステップＳ２０１）、解析結果に基づいて、大当り中の演出（シナリオ）を次のように決定する。
【０１２０】
大当り種別を判断した結果（ステップＳ２０２）、大当り種別が上記第１群に属する１５Ｒ系の大当りである場合、つまり「１５Ｒ確変大当り」または「１５Ｒ非確変大当り」である場合には、選択演出の発動条件が達成されたと解釈して、連荘カウンタの値Ｎを１加算してＮ＋１とした後（ステップＳ２０３）、複数の演出種を含む大当り中演出（演出シナリオ）を連荘回数に応じて区分した複数の演出区分（図８の縦方向の区分）のうちから、連荘回数に応じた数の演出種を含む演出区分（大当り中演出）を選択する（ステップＳ２０４）。
【０１２１】
連荘カウンタ２４６は、上記第１群に属する１５Ｒ系大当りである場合に、大当り当選時の遊技状態の如何に拘わらず、当選すれば内容が１加算され、その後、遊技状態が通常遊技状態に戻ったときに内容がクリアされるカウンタであり、１加算するたびに選択演出が発動される。
【０１２２】
この１５Ｒ系大当りの場合に選択される演出種（演出シナリオ）は、連荘回数に応じて複数の演出種を含む一連の選択演出区分（選択画面群）が用意されており（図８参照）、その一連の選択演出区分の中から連荘回数に対応した選択演出区分が選択される。図８に示す本実施形態の場合、一連の選択演出区分は、連荘回数が進むにつれてＢＧＭ種（楽曲数）を増加させて行く一連のＢＧＭ選択演出区分であり、この一連のＢＧＭ選択演出区分（図８の縦方向の区分）の中から、連荘回数に対応したＢＧＭ選択演出区分が選択される。たとえば、連荘回数が２回であれば、その連荘回数２回に対応するＢＧＭ選択演出として、図８中の２段目のＢＧＭ選択演出区分に属するＢＧＭ種群（ＢＧＭ１〜ＢＧＭ３から成るＢＧＭ種群）が選択される。図８の例では、連荘１回から連荘９回までは連荘回数が増す毎に、ＢＧＭ選択演出区分におけるＢＧＭ種の選択肢の範囲（図８の横方向の範囲）に新しくＢＧＭ種が１つ追加され、連荘１０回以降のＢＧＭ選択演出区分においては、連荘９回のＢＧＭ選択演出区分と同じ内容のＢＧＭ種群が繰り返し提示されるという構成となっている。つまり、連荘１０回以降は、図示してない発動抑制手段（演出制御ＣＰＵ２４１）によって、選択演出の発動条件が達成された場合であっても、その発動が抑制される。
【０１２３】
一方、「２Ｒ突確大当り」である場合には２Ｒ突確大当り用演出（演出シナリオ）を決定し（ステップＳ２０５）、「小当り」である場合には小当り用演出（演出シナリオ）を決定する（ステップＳ２０６）。つまり、大当り種別が上記第２群に属する１５Ｒ系大当り以外の大当りでは、連荘カウンタ２４６の加算（歩進）を行わせない。
【０１２４】
図７に連荘カウンタの推移例を示す。前提として通常遊技状態にて２Ｒ突確大当りに当選した場合には「潜伏確変状態」に移行するものとし、２Ｒ突確大当りに連続して当選した場合には「確変状態」に移行するものとしている。図中、「確変状態中」を「確変中」、「潜伏確変状態中」を「潜伏確変中」、「時短状態中」を「時短中」と表記している。
【０１２５】
この例の場合、通常遊技状態中の時刻ｔ１において２Ｒ潜伏確変大当りに当選し（連荘カウンタＮ＝０）、潜伏確変状態に移行する。その潜伏確変状態中の時刻ｔ２において１５Ｒ非確変大当りに当選し（連荘カウンタＮ＝１）、大当り遊技後に時短状態に移行する。その時短状態中の時刻ｔ３において２Ｒ突確大当りに当選し（連荘カウンタＮ＝１のまま）、確変状態に移行する。この確変状態中の時刻ｔ４において１５Ｒ確変大当りに当選し（連荘カウンタＮ＝２）、大当り遊技後に確変状態に移行する。この確変状態中の時刻ｔ５においてまたもや１５Ｒ確変大当りに当選し（連荘カウンタＮ＝３）、大当り遊技後に確変状態に移行する。この確変状態中の時刻ｔ６において１５Ｒ非確変大当りに当選し（連荘カウンタＮ＝４）、大当り遊技後に時短状態となる。その後の時刻ｔ７において時短状態が終了する。その次回変動時に、遊技状態指定コマンドが送信され、演出制御基板２４側がこれにより連荘カウンタＮを「０」にクリアする。
【０１２６】
ここで上記第１群に属する１５Ｒ系大当りの「１５Ｒ確変大当り」および「１５Ｒ非確変大当り」では、いずれも大入賞口４０の開放回数（ラウンド数）があらかじめ定めた最大回数の１５ラウンド行われる大当りである。この１５ラウンドの各ラウンドについては、開放扉４２ｂが所定時間（たとえば２９秒）開放して大入賞口４０が開放されるか、または所定個数（たとえば９個）の遊技球が入賞するまで大入賞口４０が開放されるという、通常遊技状態よりも遊技者に有利な特別遊技状態（大当り遊技）が実行される。つまり通常遊技状態よりも賞球払出が多くなる「高ベース大当り遊技」が実行されるものである。したがって、「１５Ｒ確変大当り」および「１５Ｒ非確変大当り」は、いずれも特賞球数の払い出しが多い高ベース大当り遊技を実行する第１群の大当りに属するものである、という別な表現で説明できるものである。勿論、時間的な長さから見た場合、「１５Ｒ確変大当り」および「１５Ｒ非確変大当り」は、大当り遊技が１５ラウンドと長く、その大当り遊技を消化するための遊技時間も比較的長いものとなるため、ＢＧＭを再生演奏するのに十分な時間長さがある。
【０１２７】
これに対し上記第２群に属する「２Ｒ潜伏確変大当り」と「２Ｒ突確大当り」は、上記ラウンド数が２ラウンド行われる大当りである。しかも開放扉４２ｂが短時間（たとえば５秒）だけ開いて大入賞口４０が開放され、特賞球数がほとんど得られない大当りである。したがって「２Ｒ潜伏確変大当り」や「２Ｒ突確大当り」は、上記の第１群の大当りよりも相対的に利益率が低い低ベース大当り遊技を実行する第２群の大当りに属するものである、という別な表現で説明できるものである。また図７には示してない「小当り」も、短時間だけ大入賞口４０が開放されるものであり、同様に特賞球数が少ないことから、「２Ｒ潜伏確変大当り」や「２Ｒ突確大当り」と同じく上記の低ベース大当り遊技を実行する第２群の大当りに属する。
【０１２８】
ここで上記１５Ｒ系大当りのうち「１５Ｒ確変大当り」は、大当り後の遊技状態が確変状態に移行する。また「１５Ｒ非確変大当り」は大当り後の遊技状態が時短状態に移行する。また２Ｒ系大当りのうち「２Ｒ突確大当り」は、大当り後の遊技状態が確変状態に移行する。つまりこれら大当り後の遊技状態では、少なくとも図柄変動表示ゲームの始動条件の成立頻度が通常遊技状態よりも高くなる「高ベース遊技状態」となる。
【０１２９】
したがって、連荘カウンタの加算動作は、上記遊技状態のうち、通常遊技状態以外の所定の遊技状態中として、高ベース遊技状態中に、上記第１群に属する大当りに当選したことを条件として、連荘大当り回数を１加算することになる。また別の表現をすると、連荘カウンタは、通常遊技状態中に上記１５Ｒ系大当り（第１群の大当り）に初当選してから通常遊技状態に戻るまでの間に生起した上記１５Ｒ系大当り（第１群の大当り）の回数を連荘大当りとして計数する（この連荘大当りの中には２Ｒ潜伏確変大当りや２Ｒ突確大当りは計数対象として含めない）ものである。
【０１３０】
演出制御ＣＰＵ２４１は、上記連荘カウンタの値Ｎが１加算してＮ＋１とされるたびに（ステップＳ２０３）、選択演出を発動させるべく、図８に示す大当り中演出選択テーブルを参照して、現在の連荘回数に応じた大当り中演出（演出シナリオ）を選択する（ステップＳ２０４）。連荘１回目はＢＧＭ１とＢＧＭ２を含む選択演出区分を、連荘２回目はＢＧＭ１〜ＢＧＭ３を含む選択演出区分を、連荘３回目はＢＧＭ１〜ＢＧＭ４を含む選択演出区分を、そして連荘４回目はＢＧＭ１〜ＢＧＭ５を含む選択演出区分を、それぞれ大当り中演出（演出シナリオ）として選択する。同様にして、連荘５回目から連荘９回目まではＢＧＭ６、ＢＧＭ７、ＢＧＭ８、ＢＧＭ９、ＢＧＭ１０と、１つずつＢＧＭ種の選択肢が増えたＢＧＭ種を含む選択演出区分の大当り中演出（演出シナリオ）を選択する。そして連荘１０回目以降は、選択対象としてＢＧＭ１〜ＢＧＭ１０を含む同じ選択演出区分の大当り中演出（演出シナリオ）を繰り返し選択する。
【０１３１】
（３−２．大当り中演出実行処理、図９）
次いで、大当り中の遊技動作（大当り遊技）の実行および大当り中の演出の実行を行う（ステップＳ１１８）。ここで、大当り中の遊技動作の実行とは、特別変動入賞装置４２や普通変動入賞装置４１の開閉動作の実行である。また大当り中の演出の実行とは、オープニング演出およびこれに続くラウンド間インターバル中の演出やラウンド中の演出の実行である。
【０１３２】
大当り中の演出として、演出制御部（演出制御基板２４、液晶制御基板２５）は、まず大当りが開始することを液晶表示装置３６での画像の表示、およびスピーカ４６からの音声（開始ファンファーレ）の出力により遊技者に報知する。
【０１３３】
ここで、大当り開始Ｆコマンドは、ファンファーレの本来の情報以外に、コマンドの区分けにより、間接的ではあるが、「大当り当選時の遊技状態」および「大当り種別」の情報を持つ。
【０１３４】
上記ステップＳ１１７（図５）により決定された大当り中演出の演出シナリオに基づき、演出制御基板２４では大当り遊技の進行に伴い、大当り中の演出を実行制御し、また主制御基板２０では、特別変動入賞装置ソレノイド４２ａにソレノイド制御用の励磁制御信号を送信して特別変動入賞装置４２の大入賞口４０を所定のパターンに従い開閉制御して、大当り遊技を実行制御する。また、演出制御基板２４では大当り遊技の進行に伴い、大当り中の演出を実行制御する。さらにまた液晶制御基板２５では、液晶表示装置３６にラウンド間インターバル中の演出やラウンド中演出を表示する。
【０１３５】
図９は、上記ステップＳ１１８の処理のうち、特に大当り中の演出に着目した大当り中演出実行処理の内容を示すフローチャートである。
【０１３６】
この大当り中演出実行処理においては、まず上記第１群に属する１５Ｒ系大当りか否かを判断する（ステップＳ３０１）。１５Ｒ系大当りの場合は（ステップＳ３０１：ＹＥＳ）、１ラウンド目の遊技が終了していないことを確認した後（ステップＳ３０２：ＮＯ）、まず１ラウンド目の遊技中の演出を開始する（ステップＳ３０３）。
【０１３７】
ここで演出制御用ＣＰＵ２４１は、液晶表示装置３６に、図６のステップＳ２０４で選択した大当り中演出（図８の選択された演出区分に属するＢＧＭ群）についての演出選択画面を表示する（ステップＳ３０４）。図１０は１５Ｒ系大当りが４回継続した場合の演出選択画面３６１の表示内容の推移を示している。この演出選択画面３６１は、代表的に図１０（ａ）に示すようにＢＧＭ種の選択肢３６２を有する。
【０１３８】
本実施形態において、図１０（ａ）は連荘１回目の演出選択画面であり、ＢＧＭ１とＢＧＭ２の２つの選択肢を有し、そのうちのＢＧＭ２が最前面に位置している。同様に、図１０（ｂ）は連荘２回目の演出選択画面であり、連荘回数が１加算されたことに対応してＢＧＭ３の選択肢が新しく１つ追加され、ＢＧＭ１、ＢＧＭ２、ＢＧＭ３の３つの選択肢を有し、そのうちのＢＧＭ３が最前面に位置している。同様に、図１０（ｃ）は連荘３回目の演出選択画面であり、連荘大当りが１つ増加したことに対応してＢＧＭ４の選択肢が新しく１つ追加され、ＢＧＭ１〜ＢＧＭ４の４つの選択肢を有し、そのうちのＢＧＭ４が最前面に位置している。同様に、図１０（ｄ）は連荘４回目の演出選択画面であり、連荘大当りが１つ増加したことに対応してＢＧＭ５の選択肢が新しく１つ追加され、ＢＧＭ１〜ＢＧＭ５の５つの選択肢を有し、そのうちのＢＧＭ５が最前面に位置している。
【０１３９】
上記の各演出選択画面３６１においては、最前面に位置する演出の選択肢が、仮想的にカーソルで現在指定され選択されている状態にあり、連荘大当りした際には、この最前面に位置する演出に自動的にカーソル初期位置が合致する予設定がなされる。本実施形態の場合、このカーソルは、演出選択画面中にカーソルそのものの映像として直接的に表示されているのではなく、演出選択画面３６１においてＢＧＭの選択肢３６２が最前面に位置すること、この例ではさらに明るく表示されることで、間接的に表示されるものである。しかし演出選択画面３６１中にカーソルそのものを画像として直接的に表示させ、このカーソル像を演出選択画面における演出の選択肢３６２間で移動させる構成とすることもできる。
【０１４０】
初期のカーソル位置として、図１０（ａ）の連荘大当り１回目の演出選択画面３６１では最前面のＢＧＭ２の選択肢が明るく表示されて指定され、図１０（ｂ）の連荘大当り２回目の演出選択画面では最前面のＢＧＭ３の選択肢が明るく表示されて指定され、図１０（ｃ）の連荘大当り３回目の演出選択画面では最前面のＢＧＭ４の選択肢が明るく表示されて指定され、図１０（ｄ）の連荘大当り４回目の演出選択画面では最前面のＢＧＭ５の選択肢が明るく表示されて指定される。つまり、連荘大当りして新しくＢＧＭの選択肢が追加された場合、常にその追加されたＢＧＭの選択肢が最前面に来て明るく表示されており、これは追加されたＢＧＭの選択肢に仮想的にカーソル初期位置が合わせられ予設定されていることと等価になる。この状態で選択演出の演出時間（本実施形態では１Ｒ遊技期間）が経過すると、カーソルで暫定的に選択され予設定されているＢＧＭの選択状態が、最終的に選択されたものとして確定し、当該ＢＧＭが設定されて、その再生演奏が開始される。このため、常に追加されたＢＧＭを選択して再生演奏させたいと欲する遊技者は、連荘大当りのたびに追加されるＢＧＭ種にカーソル位置を合わせるという手操作を、特にはする必要なしに、そのまま何もしないで放置して一定時間が経過するのを待つことにより、所望するＢＧＭを大当り中に再生演奏させて聴くことができる。
【０１４１】
上記カーソルの初期位置は暫定的なものであり、手動演出選択スイッチ（演出用操作手段）としての枠演出ボタン１３を押下操作することにより、上記予設定された演出の選択状態を、他の演出の選択肢が選択された状態に変更することができる。
【０１４２】
図１１は、上記した図１０（ｂ）の連荘大当り２回目の演出選択画面３６１において、枠演出ボタン１３を押下した場合のＢＧＭ種の選択推移状況を示す。最初は図１１（ａ）のように、最前面にＢＧＭ３が、その裏側に順次にＢＧＭ２、ＢＧＭ１が位置する。この状態において、手動演出選択スイッチである枠演出ボタン１３を１回押下すると、図１１（ｂ）に示すように、最前面に位置していたＢＧＭ３は最背面に移動し、ＢＧＭ３の裏側に位置していたＢＧＭ２が最前面（カーソル位置）に移行する。さらに枠演出ボタン１３を１回押下すると、図１１（ｃ）に示すように、最前面に位置していたＢＧＭ２は最背面に移動し、ＢＧＭ２の裏側に位置していたＢＧＭ１が最前面（カーソル位置）に移行する。このように枠演出ボタン１３を押すたびに最前面に位置するＢＧＭの位置が循環式に入れ替わる。遊技者は希望するＢＧＭ種の選択肢を最前面に位置させて指定することで該ＢＧＭ種を選択し、その状態のまま放置して、選択演出の演出時間が経過することにより、希望するＢＧＭを最終的に確定されたものとして選択設定することができる。
【０１４３】
図９のステップＳ３０４において連荘回数に対応した演出選択画面を表示させた後、次のステップＳ３０５に進む。連荘１回目の演出選択画面（図１０（ａ））においてはＢＧＭ１とＢＧＭ２の選択肢のうち、ＢＧＭ２の選択肢が自動的に指定されて予設定される。また、このステップＳ３０５では、連荘大当りするたびに新しく追加される演出種（ＢＧＭ種）の選択肢を、最前面に位置させるまたは明るく表示するなどの手段で選択状態とすることで、仮想的にカーソルの初期位置を上記新しく追加されたＢＧＭ種の選択肢に合わせ、当該新しく追加されたＢＧＭ種を大当り中に再生演奏させるべきＢＧＭ種として予設定する。
【０１４４】
次いで、手動演出選択スイッチとしての枠演出ボタン１３による操作が受付可能であることを条件として、遊技者によりこの枠演出ボタン１３が操作されたことを条件として、その枠演出ボタン１３の操作により指定された演出の選択肢の位置にカーソルを移動させる（ステップＳ３０６）。具体的には、枠演出ボタン１３を操作して希望する演出の選択肢を、最前面に位置させかつ明るく表示させた状態にする。
【０１４５】
その後１ラウンド目の遊技が終了したか否かを判断する（ステップＳ３０７）。枠演出ボタン１３が操作されることなく、１ラウンド目の遊技時間（選択演出の演出時間）が経過した場合には（ステップＳ３０７：ＹＥＳ）、上記のＢＧＭ２の選択状態が最終的に選択されたものとして確定する。
【０１４６】
次いで、インターバル演出を実行した後（ステップＳ３０８）、次の２ラウンド目から、図６のステップＳ２０４で選択された演出区分に属するＢＧＭ種（演出シナリオ）のうち、上記カーソルの初期位置によりまたは枠演出ボタン１３の操作により最終的に設定されたＢＧＭ種について、その楽曲の再生演奏を実行する（ステップＳ３０９）。ここで再生演奏されるＢＧＭは、連荘１回目においてはＢＧＭ１またはＢＧＭ２のいずれか一方である。遊技者が枠演出ボタン１３を操作しないまま選択演出の演出時間が経過した場合は、カーソルの初期位置で選択状態とされたＢＧＭ２の再生演奏が開始され、また選択演出の演出時間が経過する前に枠演出ボタン１３を操作してＢＧＭ１の選択肢を指定した状態にカーソル位置を切り替えた場合は、上記選択演出の演出時間が経過した第２ラウンド目から、切り替え後のカーソル位置で指定したＢＧＭ１の再生演奏が開始される。そして図５のステップＳ１１９に進む。
【０１４７】
上記のようにして、主制御基板２０と演出制御基板２４により大当り中の遊技動作（大当り遊技）と共に大当り中の演出が実行制御されて行く（ステップＳ１１８〜Ｓ１１９）。そして規定ラウンド数（ここでは１５ラウンド）に達して大当りの終了が到来したか否かを判断し（ステップＳ１１９）、上記規定ラウンド数に達していない場合には（ステップＳ１１９：ＮＯ）、その規定ラウンド数が終了するまで上記ステップＳ１１８〜Ｓ１１９を繰り返し、連荘大当り中の演出を実行する。
【０１４８】
一方、上記ステップＳ３０１の判断において、上記第２群に属する２Ｒ系大当りであった場合、つまり１５Ｒ系大当り以外の大当りであった場合は（ステップＳ３０１：ＮＯ）、ステップＳ３１０に進み、図６のステップＳ２０５で決定された２Ｒ突確大当り用演出（演出シナリオ）または図６のステップＳ２０６で決定された小当り用演出（演出シナリオ）を実行する。
【０１４９】
その後、図５のステップＳ１１９に進む。そして規定ラウンド数（ここでは２ラウンド）に達して大当りの終了が到来したか否かを判断し（ステップＳ１１９）、上記規定ラウンド数に達していない場合には（ステップＳ１１９：ＮＯ）、その規定ラウンド数が終了するまで上記ステップＳ１１８〜Ｓ１１９を繰り返す。ただし２Ｒ系大当りの場合は、賞球払出がほとんど行われないため、短時間のうちに終了する。
【０１５０】
１５Ｒ系大当りおよび２Ｒ系大当りのいずれの場合も、規定数の全ラウンドが終了したときには（ステップＳ１１９：ＹＥＳ）、大当り終了Ｆコマンド決定処理を行い（ステップＳ１２０）、続いて大当り終了演出（大当り中エンディング演出）を実行する（ステップＳ１２１）。この大当り終了演出においては、大当りが終了することを液晶表示装置３６での画像の表示、およびスピーカ４６からの音声（終了ファンファーレ）の出力により遊技者に報知することとなる。なお、この大当り終了演出においては、必要に応じて確変報知演出が行われる。
【０１５１】
上記の大当り終了演出が終了すると、遊技状態移行処理（ステップＳ１２２）および演出モード移行処理（ステップＳ１２３）を順次実行する。
【０１５２】
遊技状態移行処理（ステップＳ１２２）では、大当り終了後の移行先として選択しうる遊技状態として、通常遊技状態、時短状態、潜伏確変状態、確変状態の４つがあり、大当りの種別にしたがい、大当り終了後の遊技状態を、上記４つの遊技状態のうちの一つに移行させる。
【０１５３】
具体的には、１５Ｒ確変大当りに当選した場合は、大当り遊技後の遊技状態を「確変状態」に設定し、１５Ｒ非確変大当りに当選した場合は、大当り遊技後の遊技状態を「時短状態」に設定し、２Ｒ突確大当りに当選した場合は、大当り遊技後の遊技状態を「確変状態」に設定し、２Ｒ潜伏確変大当りに当選した場合は、大当り後の遊技状態を「潜伏確変状態」に設定する。ここで、上記の設定処理における大当りには小当りの場合が含まれないので、上記の大当りに当選した場合、小当りフラグについては非設定状態に戻す。一方、小当りに当選した場合は、当選時の遊技状態を変更せずに小当りフラグを設定状態にする。なお、本実施形態では、確変状態中または時短状態中もしくは潜伏確変状態中に２Ｒ潜伏確変大当りに当選した場合、その大当り遊技後の遊技状態を「潜伏確変状態」に設定するのではなく「確変状態」に設定する。
【０１５４】
次の演出モード移行処理（ステップＳ１２３）では、大当り開始Ｆコマンドまたは大当り終了Ｆコマンドに基づいて、移行先の演出モードを決定する。ここで１５Ｒ確変大当りまたは２Ｒ突確大当りに当選した場合は、大当り終了後の遊技状態の演出モードを、確変確定演出モード（たとえば夜背景演出）に移行設定する。また１５Ｒ非確変大当りに当選した場合は、大当り終了後の遊技状態の演出モードを、時短演出モード（たとえば朝方背景演出）に移行設定する。また通常遊技状態中に２Ｒ潜伏確変大当りに当選した場合は、大当り終了後の遊技状態の演出モードを、「確変隠匿演出モード（たとえば、夕方背景演出）」に移行設定する。また通常遊技状態中に小当りに当選した場合には、大当り終了後の遊技状態の演出モードを、「確変隠匿演出モード（たとえば、夕方背景演出）」に移行設定する。また時短状態中に小当りに当選したときは、時短演出モード（朝方背景演出）を維持し、また確変状態中に小当りに当選したときは、確変確定演出モード（夜背景演出）を維持する。
【０１５５】
（具体例１：図１２）
次に、図１２に示す具体例について説明する。この例は図７と同じ遊技状態の遷移状態を前提としており、通常遊技状態中の時刻ｔ１において２Ｒ潜伏確変大当りに当選し、その潜伏確変状態中の時刻ｔ２において１５Ｒ非確変大当りに当選し（連荘カウンタＮ＝１）、その時短状態中の時刻ｔ３において２Ｒ突確大当りに当選し（連荘カウンタＮ＝１のまま）、この確変状態中の時刻ｔ４において１５Ｒ確変大当りに当選し（連荘カウンタＮ＝２）、この確変状態中の時刻ｔ５において１５Ｒ確変大当りに当選し（連荘カウンタＮ＝３）、この確変状態中の時刻ｔ６において１５Ｒ非確変大当りに当選し（連荘カウンタＮ＝４）、その後の時刻ｔ７において時短状態が終了して連荘カウンタＮが「０」にクリアされるケースを扱っている。ここで遊技者は連荘大当り毎に新しくＢＧＭの選択肢が追加された場合、その追加されたＢＧＭを聴きたいと希望しているものとする。
【０１５６】
図１２の連荘１回目（時刻ｔ２の１５Ｒ非確変大当り時）において、選択演出が発動されて選択画面に表示される選択肢はＢＧＭ１とＢＧＭ２の２つであり、このうち自動的な初期位置としてＢＧＭ２の選択肢が最前面に位置する（図１０（ａ）参照）。つまり仮想的なカーソルの初期位置はＢＧＭ２の選択肢となっている。このとき遊技者がＢＧＭ２を再生演奏することに満足し、手動演出選択スイッチによるカーソル手操作を行わなければ、１ラウンド目の遊技が終了した時点でＢＧＭ２が最終設定されたものとなる。
【０１５７】
続いて連荘２回目（時刻ｔ４の１５Ｒ確変大当り時）の選択演出においては大当り中演出としてＢＧＭ３が新しく追加される。選択画面に表示される選択肢はＢＧＭ１、ＢＧＭ２、ＢＧＭ３の３つとなる。このうち自動的な初期位置としてＢＧＭ３の選択肢が最前面に位置し（図１０（ｂ）参照）、この結果、仮想的なカーソルの初期位置はＢＧＭ３の選択肢に一致している。本例の場合、遊技者は新しく追加されたＢＧＭ３を聴きたいと欲しているので、このＢＧＭ３の選択肢を選択している状態に満足し、演出選択スイッチによるカーソル手操作を行わない。かくするうちに１ラウンド目の遊技が終了し、この時点でＢＧＭ３が最終設定されたものとなる。したがって連荘２回目の大当り遊技中にはＢＧＭ３の楽曲が再生演奏される。
【０１５８】
続いて連荘３回目（時刻ｔ５の１５Ｒ確変大当り時）の選択演出においては大当り中演出としてＢＧＭ４が新しく追加される。選択画面に表示される選択肢はＢＧＭ１、ＢＧＭ２、ＢＧＭ３およびＢＧＭ４の４つとなる。このうち自動的な初期位置としてＢＧＭ４の選択肢が最前面に位置し（図１０（ｃ）参照）、仮想的なカーソルの初期位置はＢＧＭ４の選択肢に一致している。本例の場合、遊技者は新しく追加されたＢＧＭ４を聴きたいと欲しているので、このＢＧＭ４の選択肢を選択している状態に満足し、演出選択スイッチによるカーソル手操作を行わない。そこで、１ラウンド目の遊技が終了した時点で、ＢＧＭ４が最終設定されたものとなる。したがって連荘３回目の大当り遊技中にはＢＧＭ４の楽曲が再生演奏される。
【０１５９】
続いて連荘４回目（時刻ｔ６の１５Ｒ非確変大当り時）の選択演出においては大当り中演出としてＢＧＭ５が新しく追加される。選択画面に表示される選択肢はＢＧＭ１、ＢＧＭ２、ＢＧＭ３、ＢＧＭ４およびＢＧＭ５の５つとなる。このうち自動的な初期位置としてＢＧＭ５の選択肢が最前面に位置し（図１０（ｄ）参照）、仮想的なカーソルの初期位置はＢＧＭ５の選択肢に一致している。本例の場合、遊技者は新しく追加されたＢＧＭ５を聴きたいと欲しているので、このＢＧＭ５の選択肢を選択している状態に満足し、手動演出選択スイッチとしての枠演出ボタン１３によるカーソル手操作を行わない。そこで、１ラウンド目の遊技が終了した時点で、ＢＧＭ５が最終的に設定されたものとなる。したがって連荘４回目の大当り遊技中にはＢＧＭ５の楽曲が再生演奏される。
【０１６０】
かくして遊技者は、連荘大当りしての選択演出が発動するたびに手動演出選択スイッチとしての枠演出ボタン１３を操作して、仮想的なカーソル位置を最新の追加されたＢＧＭに合致させて選択状態とする、というカーソル位置合わせ操作をする必要なしに、自己の希望する最新の追加されたＢＧＭを自動的に選択し、連荘大当り遊技中に再生演奏させて聴くことができる。
【０１６１】
（具体例２：図１３〜図１４）
図１３〜図１４は他の具体例を示したものである。上記の具体例１では連荘１回目（時刻ｔ２）において選択画面３６１に表示される選択肢３６２がＢＧＭ１とＢＧＭ２の２つであったが、この図１２の具体例２では、図１３（ａ）に示すように、連荘１回目において選択画面３６１に表示される選択肢３６２がＢＧＭ１の１つだけである、という点で、具体例１と相違している。この具体例２において、連荘大当りするたびに順次新しくＢＧＭ種の選択肢が１つ追加されて選択肢の範囲が増加する点や、その新しく追加されたＢＧＭ種の選択肢がカーソル初期位置となる点や、手操作でカーソル位置を変えなければそのカーソル初期位置のＢＧＭが最終的に選択されたものとして設定される点は、具体例１と同じである。
【０１６２】
図１３は、この具体例２における演出選択画面の表示内容の推移を例示したものである。図１３（ａ）は連荘１回目の演出選択画面であり、ＢＧＭ１の選択肢だけを有する。図１３（ｂ）は連荘２回目の演出選択画面であり、連荘大当り回数が１つ増加したことに対応してＢＧＭ２の演出の選択肢が新しく１つ追加され、ＢＧＭ１とＢＧＭ２の２つの選択肢を有する。同様に、図１３（ｃ）は連荘３回目の演出選択画面であり、連荘大当り回数が１つ増加したことに対応してＢＧＭ３の演出の選択肢が新しく１つ追加され、ＢＧＭ１、ＢＧＭ２、ＢＧＭ３の３つの選択肢を有する。同様に、図１３（ｄ）は連荘４回目の演出選択画面であり、連荘大当り回数が１つ増加したことに対応してＢＧＭ４の演出の選択肢が新しく１つ追加され、ＢＧＭ１〜ＢＧＭ４の４つの選択肢を有する。
【０１６３】
これら図１３の演出選択画面３６１においては、演出の選択肢３６２のうち最前面に位置する選択肢がカーソルで現在指定されている状態にあり、これが連荘大当りした際に自動的に設定されるカーソル初期位置となっている。仮想的なカーソル初期位置は、図１３（ａ）の連荘１回目の演出選択画面では、最前面の明るく表示されているＢＧＭ１の選択肢であり、図１３（ｂ）の連荘２回目では最前面の明るく表示されているＢＧＭ２の選択肢であり、図１３（ｃ）の連荘３回目では最前面の明るく表示されているＢＧＭ３の選択肢であり、図１３（ｄ）の連荘４回目では最前面の明るく表示されているＢＧＭ４の選択肢である。このように連荘大当りして新しく追加されるＢＧＭ種の選択肢に対して、自動的に仮想的なカーソル位置が合わせられる。この状態で選択演出の演出時間として１ラウンド目の遊技時間が経過すると、仮想的なカーソルで暫定的に指定されているＢＧＭ種の選択状態が確定し、当該ＢＧＭ種の設定がなされて、その再生演奏が開始される。このため毎回の連荘大当りにおいて、追加されたＢＧＭ種を常に選択状態に置いて再生演奏させたい遊技者は、ＢＧＭ種が追加されるたびにその追加されたＢＧＭ種にカーソル位置を合わせるという操作を、特にはする必要がない。
【０１６４】
図１４に基づいて説明するに、連荘１回目の１５Ｒ非確変大当り時（時刻ｔ２）において、選択画面に表示される選択肢はＢＧＭ１の１つであり（図１３（ａ）参照）、演出選択スイッチによるカーソル手操作を受け付けられないので、大当り中演出としてＢＧＭ１が設定される。
【０１６５】
続いて連荘２回目の１５Ｒ確変大当り時（時刻ｔ４）においては大当り中演出としてＢＧＭ２が新しく追加される。選択画面に表示される選択肢はＢＧＭ１、ＢＧＭ２の２つとなり、仮想的なカーソル初期位置としてＢＧＭ２の選択肢が最前面に位置する（図１０（ｂ）参照）。遊技者は新しく追加されたＢＧＭ２を聴きたいと欲しているので、このＢＧＭ２の選択状態に満足し、演出選択スイッチによるカーソル手操作を行わない。そこで、１ラウンド目の遊技が終了した時点で、ＢＧＭ２が最終的に選択されたものとして設定されたものとなる。したがって連荘２回目の大当り遊技中にはＢＧＭ２の楽曲が再生演奏される。
【０１６６】
続いて連荘３回目の１５Ｒ確変大当り時（時刻ｔ５）においては大当り中演出としてＢＧＭ３が新しく追加される。選択画面に表示される選択肢はＢＧＭ１、ＢＧＭ２およびＢＧＭ３の３つとなる。このうち自動的に定まる仮想的なカーソル初期位置としてＢＧＭ３の選択肢が最前面に位置する（図１０（ｃ）参照）。遊技者は新しく追加されたＢＧＭ３を聴きたいと欲しているので、このＢＧＭ３の選択肢を選択している状態に満足し、演出選択スイッチによるカーソル手操作を行わない。そこで、１ラウンド目の遊技が終了した時点で、ＢＧＭ３が最終設定されたものとなる。したがって連荘３回目の大当り遊技中にはＢＧＭ３の楽曲が再生演奏される。
【０１６７】
続いて連荘４回目の１５Ｒ非確変大当り時（時刻ｔ６）においては大当り中演出としてＢＧＭ４が新しく追加される。選択画面に表示される選択肢はＢＧＭ１、ＢＧＭ２、ＢＧＭ３およびＢＧＭ４の４つとなる。このうち自動的な初期位置としてＢＧＭ４の選択肢が最前面に位置し（図１０（ｄ）参照）、仮想的なカーソルの初期位置はＢＧＭ４の選択肢に一致している。遊技者は新しく追加されたＢＧＭ４を聴きたいと欲しているので、このＢＧＭ４の選択肢を選択している状態に満足し、演出選択スイッチによるカーソル手操作を行わない。そこで、１ラウンド目の遊技が終了した時点で、ＢＧＭ４が最終的に設定されたものとなる。したがって、連荘４回目の大当り遊技中にはＢＧＭ４の楽曲が再生演奏される。
【０１６８】
かくして遊技者は、連荘大当りするたびに手動演出選択スイッチとしての枠演出ボタン１３を操作してカーソル位置を最新の追加されたＢＧＭに合致させる、というカーソルによる演出選択操作をする必要なしに、自己の希望する最新の追加されたＢＧＭを自動的に選択し、連荘大当り遊技中に再生演奏させて聴くことができる。
【０１６９】
＜変形例１、図１５＞
上記実施形態では、ＢＧＭ種の選択肢を最前面側に明るく位置させることでＢＧＭを選択状態とし、この選択状態がここに仮想的にカーソルが存在することと等価になる、という例について説明したが、この仮想的なカーソルの替わりに、またはこの仮想的なカーソルと共に、演出選択画面中に具体的にカーソルを表示させ、このカーソル位置を枠演出ボタン１３または専用のカーソル操作スイッチを押下操作することにより変更し、演出を指定することもできる。
【０１７０】
たとえば、図１５に示すように、複数種類の演出のそれぞれに対応する選択肢３６２と、その選択肢のうちの１つを指定するカーソル３６３（黒三角）とを、選択画面３６１中に表示させると共に、このカーソル３６３を隣の選択肢へと移動させる上下左右の四方向に操作しうる十字キースイッチ１３１からなる手動演出選択スイッチ（演出用操作手段）を設ける。そして、この十字キースイッチ１３１における上向スイッチ部ａまたは下向スイッチ部ｃが押下されると、演出制御用ＣＰＵ２４１は、カーソル３６３（黒三角）の位置を１つ上または下に移動させる。また左向スイッチ部ｄまたは右向スイッチ部ｂが押下されると、演出制御用ＣＰＵ２４１は、カーソル３６３（黒三角）の位置を１つ左または右に移動させるような表示を行わせる。そして、十字キースイッチ１３１の中央の決定スイッチ部ｅが押下されると、そのときにカーソル３６３が位置していた選択肢が最終的に選択されたものとして確定する構成とする。そして、選択された選択肢に対応する演出を実行する。
【０１７１】
図１５において、ＢＧＭ種の選択肢３６２のうち実線の枠で囲まれている選択肢は、演出選択画面３６１内に選択可能に表示されている選択肢であることを示す。また破線の枠で囲まれている選択肢は、選択画面から消えていて選択が不可能である選択肢であることを示す。
【０１７２】
図１５は、現在３つのＢＧＭ１〜ＢＧＭ３が可視化され、選択可能に選択画面３６１に表示されている状態を示しており、図１０（ｂ）に示す連荘２回目の表示状態に対応する。カーソル３６３は、カーソル初期位置であるＢＧＭ３の選択肢を指示する位置にある。連荘大当りの回数が１増加するたびに、ＢＧＭの選択肢の数が追加されて増加して行き、選択画面内において実線枠で囲まれた選択肢として現れる。このときカーソル３６３は、そのカーソル初期位置として、常に新しく追加されたＢＧＭの選択肢を指定している位置に来るようになっている。
【０１７３】
したがって、常に追加されたＢＧＭを選択してその楽曲を再生演奏したい遊技者は、改めて十字キースイッチ１３１を操作する必要なしに、追加されたＢＧＭ種を大当り中遊技中に再生演奏させ、その楽曲を聴きながら遊技を楽しむことができる。
【０１７４】
＜変形例２＞
上記実施形態では、大当り中演出として音によるＢＧＭを例にして説明したが、大当り中演出はこれに限られるものではなく、画像または映像による大当り中の背景演出に本発明を適用することができる。
【０１７５】
たとえば、全体を順位が設けられた複数種類のストーリー（第１話、第２話、第３話・・・・などのパート）に分節された物語風のストーリー画像（演出画像）について、上記のステップＳ３０３（図９参照）で連荘回数に対応した演出選択画面を表示させると共に、この演出選択画面において、上記ストーリー画像の第１話、第２話、第３話・・・・などの分節ストーリーについての選択肢を、連荘大当りするたびに追加する構成とする。そしてステップＳ３０４で、連荘大当りするたびに新しく追加される分節ストーリーの選択肢をカーソル初期位置として選択することにより予設定する。またステップＳ３０５で、遊技者が手動演出選択スイッチによりカーソル位置を上記仮選択された分節ストーリーの選択肢から他の分節ストーリーの選択肢に変更しない限り、上記予設定された分節ストーリーが最終的に確定したものとして設定される構成とする。
【０１７６】
かかる構成の下で、常に連荘大当りで追加された分節ストーリーを背景に表示させて大当り遊技を楽しもうとする遊技者は、連荘大当りのたびに分節ストーリーの選択肢に対するカーソル位置を変更操作する必要なしに、自己の希望する当該連荘大当りで追加された分節ストーリーの設定を為し、そのストーリー画像を大当り遊技中に液晶表示画面に流すことができる。
【０１７７】
上記順位が設定されたストーリー画像（演出画像）としては、たとえば、第１話から最終話まで前後に関連付けられてストーリーが展開されていくテレビドラマのようなものや、第１ステージ、第２ステージ、・・・最終ステージへと物語が展開していくＲＰＧ風のアニメ画像であったり、回を重ねるごとにストーリーが展開するものでなく、各回のストーリー画像に関連性がない独立したオムニバス風のドラマ、アニメ画像、キャラクタ画像、遊技内容の紹介など、とすることができる。
【０１７８】
＜変形例３＞
上記実施形態では、大当りの種類として、大当り中の遊技時間が比較的長く大当り中演出を遊技者による選択の下で実行させる対象となる第１群に属する少なくとも１つの大当りと、遊技者に選択させて当該第１群の大当りよりも大当り中の遊技時間が短く大当り演出を遊技者による選択の下で実行させる対象とならない第２群に属する少なくとも１つの大当りと、が含まれ、その具体例として、上記第１群に属する大当りには、高ベース大当り遊技を実行する群に属する大当りがあり、また第２群に属する大当りには、上記第１の大当りより相対的に利益率が低い低ベース大当り遊技を実行する群に属する大当りがあると説明した。
【０１７９】
この場合、大当り中の演出の時間長さについては特に説明していないが、最小単位の演出を消化するのに十分な時間が経過する大当りであれば、連荘大当りとして加算する構成とすることができる。すなわち、上記大当りには、大当り中の遊技時間が比較的長く最小単位の演出を消化するのに十分な時間経過を経て遊技が終了する第１群に属する少なくとも１つの大当りと、当該第１の大当りよりも大当り中の遊技時間が短く最小単位の演出を消化するのに必要な時間経過を経ずに遊技が終了する第２群に属する少なくとも１つの大当りと、が含まれ、このうちの第１群の大当りについて連荘カウンタの加算を行う構成とすることができる。
【０１８０】
ここで最小単位の演出とは、たとえば上記演出種がＢＧＭである場合その楽曲の最初の四小節を指す。したがって、ＢＧＭである楽曲の四小節以上を再生演奏するに足りる時間長さを持つ大当りが複数回継続する場合を連荘回数として加算し、その各連荘大当りの大当り中において、演出制御手段としての演出制御ＣＰＵ２４１が、このＢＧＭの四小節以上続く楽曲の再生音を、演出装置たる音響発生装置４６ａから出力させる、構成とすることができる。
【０１８１】
＜変形例４＞
上記実施形態では、連荘回数の増加に伴い新しく大当り中演出の演出種が追加された場合、必ずその追加された演出種の選択肢がカーソル初期位置として選択状態になる構成としたが、追加された演出種を選択した過去の選択履歴を演出制御ＲＡＭ２４３に保存して管理し、演出制御ＣＰＵ２４１によって、その選択済みの演出種の選択優先度を低くするように構成することもできる。
【０１８２】
このようにすると、連荘回数の増加に伴って新しく演出種（たとえば、ＢＧＭ種）が追加されて行く過程において、新しい演出種であるＢＧＭ種を聴いてみたい遊技者の場合、その嗜好に合致して、まだ聴いていないＢＧＭの中から自己の聴きたいＢＧＭを選択しようとするときに、カーソル初期位置として当該ＢＧＭが既に自動的に選択されている可能性が高くなり、遊技者がそのＢＧＭを選択する選択操作頻度を軽減することができる。また、上記した回を重ねるごとにストーリーが展開していく場合には、まだ見ていないストーリー画像の中から自己の見たいストーリー画像を選択しようとするときに、カーソル初期位置として当該ストーリー画像が既に自動的に選択されている可能性が高くなり、遊技者がそのストーリー画像を選択する選択操作頻度を軽減することができる。
【０１８３】
たとえば、図８に例示したように、連荘回数に対応する演出区分が、ある有限の最大区分（図８の場合は連荘回数９回目）以降においては同じ演出区分の内容を繰り返す構成になっている場合に、その最大区分より多く連荘回数が継続するケースが考えられる。かかるケースにおいて、連荘１回目で複数のＢＧＭ種のうちの一つが選択されたとき、（たとえば図１０のように連荘１回目においてＢＧＭ１とＢＧＭ２のうちのＢＧＭ２が自動選択されたとき）、まだ聴いていない残りのＢＧＭ種（連荘１回目のＢＧＭ１）を選択して聴くことができる、という効果が得られるものである。
【０１８４】
［第２の実施形態］
次に、第２の実施形態として、図柄変動表示ゲーム中に、遊技者に枠演出ボタン１３を操作させて図柄変動表示ゲームに関連して行われる表示演出または音響演出に関する演出種（演出の種類）を選択させる選択演出が実行されるようにした構成について説明する。ここでの選択演出で選択される演出種は、リーチ演出の種類（リーチ演出種）であるとする。以下では、第１の実施形態で述べた構成要素と同じ構成要素については重複記載を避けるため、詳細な説明は適宜省略する。
【０１８５】
本実施形態の演出制御部は、選択演出の発動条件が達成されたか否かを監視する発動監視手段（演出制御ＣＰＵ２４１）として、演出制御コマンドのうち特定の演出制御コマンドであるか否かを確認するコマンド確認手段と、コマンド確認手段により上記特定の演出制御コマンドであることが確認されたことを条件に上記選択演出の発動を許可することが可能な発動許可手段と、有しており、上記選択画面表示手段は、上記発動許可手段により上記選択演出の発動が許可されたことを条件に追加の演出種を選択肢に加えて前記選択演出で選択可能な前記演出種の選択肢の範囲を明らかにした演出選択画面を液晶表示装置３６に表示する。
【０１８６】
主制御部（主制御基板２０）は、演出制御コマンドとして、少なくとも大当り判定処理（ステップＳ１０９）における抽選結果情報を含む演出制御コマンドを作成し、これを演出制御部（演出制御基板２４）に指示する。この演出制御コマンドには、選択演出を発動させる素因となる特定種変動パターンコマンドが含まれる。この特定種変動パターンコマンドには、たとえば、リーチ演出実行指示情報を含む変動パターンコマンド（リーチ変動パターンコマンド）やハズレ変動パターンコマンド等がある。
【０１８７】
演出制御部は、演出制御コマンドが送られてくると、上記発動監視手段としてのコマンド確認手段（演出制御ＣＰＵ２４１）によりその演出制御コマンドが上記特定種変動パターンであるか否かが確認される。上記コマンド確認手段は、特定種変動パターンコマンドであることを確認した回数（受信回数）を計数する受信回数計数手段を有し、上記特定種変動パターンであれば、上記受信回数計数手段によりその回数を加算していく。上記発動許可手段は、上記受信回数計数手段による計数値が所定値に達したことを条件として上記選択演出の発動を許可することになる。
【０１８８】
ここでは、選択演出を伴うリーチ演出として、キャラクタがモンスターと戦うバトル形態の戦闘演出を例にとって説明する。この戦闘演出は、選択演出画面において、遊技者が好みのキャラクタを選択して、そのキャラクタがモンスターと戦闘するシーンのリーチ演出を観賞することで自己が好む演出を楽しむ、という遊技者参加型のリーチ演出である。
【０１８９】
本実施形態における選択演出（以下、「キャラクタ選択演出」と称する）は、演出種としての戦闘演出（リーチ演出種）を、これに対応するキャラクタを選択することで選択させる演出として実行される。選択対象となる戦闘演出はリーチ演出の一つであり、図柄変動表示ゲームにてリーチが形成されてから、大当りまたはハズレを認識し得る図柄組み合わせ（大当り図柄またはハズレ図柄）が導出されるまでに行われる演出である。
【０１９０】
図１６は、ＲＯＭ２０２に記憶されている５種類の変動パターンコマンドＰ１〜Ｐ５を示している。ここでは、説明の便宜上、確変・非確変の別については明記していない。この変動パターンコマンドは、図柄が変動を開始（図柄変動表示ゲームの開始）してから全列の図柄が確定停止表示（図柄変動表示ゲームの終了）される迄の間に現出する演出シナリオの基本情報（変動内容）が含まれている。
【０１９１】
図１６に例示するように、変動パターンコマンドには、そのコマンドごとに図柄変動表示ゲームの開始から終了迄の変動時間（演出時間）情報が含まれている。また、これらコマンドは、大別して、大当り演出用（大当りリーチ演出も含む）の変動パターンコマンドとハズレ演出（ハズレリーチ演出も含む）用の変動パターンコマンドとに分類されている。「大当り演出」は、図柄変動表示ゲームが、最終的に大当りの図柄組み合わせを確定停止表示するように展開される演出である。「ハズレ演出」は、図柄変動表示ゲームが、最終的にハズレの図柄組み合わせを確定停止表示するように展開される演出である。そして変動パターンコマンドは、図柄変動表示ゲームの演出内容（変動内容）が対応付けられている。このため、これら複数種類の変動パターンコマンドのうちから一つの変動パターンコマンドを抽選で選択することにより、図柄変動表示ゲームの演出内容が決定されることになる。
【０１９２】
また各変動パターンコマンドＰ１〜Ｐ５には、大当り演出用またはハズレ演出用の何れであるかを示す分類（当否分類）と、演出指定内容（リーチ演出の有無、リーチ演出種別など）と、図柄表示ゲームが行われる時間の変動時間（ｍｓ（ミリ秒））とが対応付けられている。この例では、３種類の変動パターンコマンドＰ１、Ｐ２、Ｐ４がハズレ演出用の変動パターンコマンドとされ、２種類の変動パターンコマンドＰ３、Ｐ５が大当り演出用の変動パターンコマンドとされている。
【０１９３】
ハズレ演出用の変動パターンコマンドのうち、変動パターンコマンドＰ１は演出内容にリーチ演出を含まないハズレ演出に係るハズレ変動とされ、変動パターンコマンドＰ２〜Ｐ５はリーチ演出に係るリーチ変動とされている。
【０１９４】
また、変動パターンコマンドＰ１〜Ｐ５にそれぞれ対応付けられた演出指定内容は、大別して、ハズレ演出と、ノーマルリーチ演出と、ス−パーリーチ演出の３種類とされている。たとえば、図柄変動表示ゲームで左列、右列、中列と停止する３列の図柄による組み合わせを導出する形態である場合、「ハズレ変動」は、３列の図柄表示列がリーチを形成することなく、左列→右列→中列の順に変動停止される変動形態である。「ノーマルリーチ演出」と「スーパーリーチ演出」は、左列と右列の図柄表示列が同一種類の図柄で変動停止してリーチを形成し、リーチ演出にて中列の図柄を変動停止させる変動形態である。そして、ここでの「スーパーリーチ演出」は、ノーマルリーチ演出を経由して行われ、リーチ演出が２段階で行われる変動形態である。
【０１９５】
本実施形態の場合、上記変動パターンコマンドのうち、ハズレリーチ演出となる変動パターンコマンドＰ２、Ｐ４が、上記発動監視手段による監視対象となる特定種変動パターンである。演出制御部は、監視対象である特定種変動パターンコマンド（変動パターンコマンドＰ２、Ｐ４）の受信した場合、その受信回数を計数し、その計数値が所定回数（１回または複数回の値）に達したことを条件として、キャラクタ選択演出の発動を許可する。すなわち演出制御部は、この特定種変動パターンコマンド（変動パターンコマンドＰ２、Ｐ４）であるか否かを確認し、その特定種変動パターンコマンドの受信回数を計数する機能部（コマンド確認手段、受信回数計数手段）と、その受信回数が所定回数（１回または複数回）に達したことを条件に、キャラクタ選択演出の発動を許可することが可能な機能部（発動許可手段）とを有している。
【０１９６】
上記受信回数計数手段は大当りが生起するまでの期間においてその計数機能が作用し、大当りが生起することで計数内容がクリアされるようになっている。しかし上記計数内容をクリアする条件は適宜定めることができ、たとえば、大当りが生起するまでの期間、または一定の変動回数までの期間、または一定の時間が経過するまでの期間、または予め設定された複数種類の期間から抽選により定められる期間が経過するまで、のいずれかの計数期間について、上記受信回数を計数し、上記計数期間の終了と共に計数値を初期値に戻す（クリアする）構成とすることができる。
【０１９７】
そして演出制御部は、主制御基板２０から所定の変動パターンコマンド（ここではスーパーリーチ演出となる変動パターンコマンドＰ４、Ｐ５）を受信した場合、これに基づく図柄変動表示ゲームにおいては、それまでの上記受信回数計数手段による受信回数が所定回数に達したことで、上記キャラクタ選択演出を発動させる。すなわち、当該図柄変動表示ゲーム中において、選択画面表示手段（演出制御ＣＰＵ２４１）によって液晶表示装置３６に演出選択画面が出現し、この演出選択画面内にキャラクタ選択演出の選択対象であるリーチ演出種の選択肢（キャラクタ）の範囲が明らかに表示される。同時に、この選択肢の範囲には、このキャラクタ選択演出が発動されるたびに、追加のリーチ演出種の選択肢（キャラクタ）が加えられ、その演出種の選択肢の範囲が拡大される。
【０１９８】
本実施形態における上記演出種の選択肢の範囲は、キャラクタ選択演出の発動回数に応じて定まるようになっている。具体的には、演出制御ＣＰＵ２４１が有するキャラクタ選択演出発動回数を計数する機能部（選択画面表示計数手段）によりキャラクタ選択演出発動回数が計数され、その計数値に応じて、キャラクタ選択演出に係るリーチ演出種の選択肢（キャラクタ）の範囲が定まることになる。たとえば、初期状態でキャラクタ「魔法使い」のみ選択可能である場合、キャラクタ選択演出発動回数が２回ならば「僧侶」、３回ならば「戦士」、４回ならば「賢者」、５回ならば「勇者」・・・９回ならば「ＨＫ究極戦士」・・・というように、キャラクタの種類が段階的に追加されていき、これにより演出選択画面にリーチ演出種の選択肢の範囲（キャラクタ選択範囲）が拡大されていくことになる。なお、上記選択画面表示計数手段は大当りが生起するまでの期間においてその計数機能が作用し、大当りが生起することで計数内容がクリアされるようになっている。しかし上記計数内容をクリアする条件は適宜定めることができ、たとえば、大当りが生起するまでの期間、または一定の変動回数までの期間、または一定の時間が経過するまでの期間、または予め設定された複数種類の期間から抽選により定められる期間が経過するまで、のいずれかの計数期間について、上記発動回数を加算し、上記計数期間の終了と共に計数値を初期値に戻す（クリアする）構成とすることができる。
【０１９９】
また追加されるキャラクタには上限数が定めてあり、その上限数に達した段階でキャラクタが追加されないようになっている。つまり上記上限数に達した場合、今回のキャラクタ選択演出が発動されても前回のキャラクタ選択演出に係るキャラクタの選択肢の範囲が表示されるようになっている。具体的には、選択演出を発動する条件が成立した場合であっても、これを抑制するための機能部（発動抑制手段）を有する構成である。この場合、たとえば、所定の上限数のキャラクタ（リーチ演出種）が追加されたことを条件に、キャラクタ選択演出が発動しても、選択肢の範囲が拡大されることを制限することができる。上記発動抑制手段は大当りが生起するまでの期間においてその制限機能が作用し、大当りが生起することで制限が解除されるようになっている。しかし上記発動抑制手段による抑制を解除する条件は適宜定めることができ、たとえば、大当りが生起するまでの期間、または一定の変動回数までの期間、または一定の時間が経過するまでの期間、または予め設定された複数種類の期間から抽選により定められる期間が経過するまで、のいずれかの期間の終了と共に発動抑制手段による抑制を解除する構成とすることができる。
【０２００】
また本実施形態では、上記のようにキャラクタ選択演出発動回数に対応して決まったキャラクタ（リーチ演出種）が追加されていくので、遊技上級者であれば、今回のキャラクタ選択演出の選択肢の範囲を見れば次回のキャラクタ選択演出に追加されるキャラクタ（リーチ演出種）が予測できてしまう可能性がある。したがって、キャラクタ選択演出発動回数に対応して決まったキャラクタ（リーチ演出種）が追加されていくのではなく、抽選により追加するキャラクタ（リーチ演出種）を決定するように構成してもよい。この構成では、追加されるキャラクタ（リーチ演出種）がランダムになるため、キャラクタ選択演出発動の際に意外性を与えて遊技興趣を高めることができる。
【０２０１】
また本実施形態では、キャラクタ選択演出が発動され始めて追加されるキャラクタ（リーチ演出種）を遊技者が知り得る形態となっている。ここで本実施形態では、スーパーリーチ演出となる変動パターンコマンドＰ４、Ｐ５に基づく図柄変動表示ゲームにおいて上記キャラクタ選択演出を発動させることにしているので、たとえば、追加されるキャラクタが如何なるキャラクタであるかをノーマルリーチ演出中にキャラクタ獲得演出として報知し、後段階であるスーパーリーチ演出中にキャラクタ選択演出を発動させるように構成しても良い。このようにすれば、遊技者がキャラクタ選択演出発動前に新規に追加されるキャラクタを知得することができ、前もってどのキャラクタを選択するか思考する楽しみを与えることができる。
【０２０２】
上記キャラクタ選択演出が発動されて演出選択画面が表示される場合、予設定手段（演出制御ＣＰＵ２４１）により、その演出選択画面に加えられた上記追加のリーチ演出種についての選択肢（キャラクタ）が、初期の選択状態として予め設定される。したがって、そのまま何もしないで選択演出の演出時間が経過すると、演出確定手段（演出制御ＣＰＵ２４１）によって、その時点で現に選択されている選択肢（キャラクタ）に係る上記追加のリーチ演出種が最終的に選択されたものとして確定する。
【０２０３】
このためキャラクタ選択演出において常に追加のキャラクタを選択することとし、追加のキャラクタに対応する戦闘演出を楽しみたいと欲する遊技者は、何ら演出選択操作をする必要なしに、常に自己の希望する戦闘演出を楽しむことができる。初期の選択位置が常に一定である場合には、キャラクタ選択演出が発動された際、演出選択操作をして追加のキャラクタに選択し直さなければならないが、そのような選択の煩わしさから開放される。
【０２０４】
もちろん、上記追加のキャラクタ以外のキャラクタを選択したい遊技者は、演出用操作手段としての枠演出ボタン１３を操作することで、演出選択画面に表示された選択肢の範囲から自己が希望する１つのキャラクタ（リーチ演出種）を選択することができ、選択したキャラクタとモンスターとの戦闘演出を楽しむことができる。
【０２０５】
このキャラクタ選択演出の選択態様は既に図１１で述べたものと同じであり、枠演出ボタン１３の操作によって、選択されているリーチ演出種の選択肢（キャラクタ）を切り替え表示させる。液晶表示装置３６の最前面に明るく表示されている演出種の選択肢が現在選択されている演出種となる。この位置が選択位置（仮想的なカーソル位置）である。そして、これらの演出種は、枠演出ボタン１３が１回操作される毎に表示位置を１つずつ変化させるように、たとえば巡回式に表示される。そして、キャラクタ選択演出の終了時（選択演出の演出時間（選択期間）の経過時）に、選択位置に表示されている演出種が、最終的に選択演出によって選択された演出種として確定される。
【０２０６】
上記では特定種変動パターンコマンドとして、ハズレリーチ変動パターンコマンドを例にして説明したが、どのような変動パターンコマンドを特定種変動パターンコマンドとするかは適宜定めることができる。たとえば、ハズレと大当りの双方の場合を含めたリーチ変動コマンド（図１６の変動パターンＰ２〜Ｐ５）や、リーチを含まない場合をも含めたハズレ変動パターンコマンド（図１６の変動パターンＰ１、Ｐ２、Ｐ４）に基づいてリーチキャラ選択演出を発動させるように構成することもできる。
【０２０７】
［第３の実施形態］
次に、第３の実施形態について説明する。上述した第２の実施形態では、主制御部（主制御基板２０）から送られてくる演出制御コマンドのうち特定の演出制御コマンドが直接的に選択演出を発動させる素因となる構成、すなわち特定の演出制御コマンドの受信回数に基づいて選択演出の発動が許可される構成を説明した。しかしこの第３の実施形態では、特定の演出制御コマンドが直接的ではなく間接的に選択演出を発動させる素因となる構成、すなわち特定の演出制御コマンドに基づいて決定される演出シナリオの生起回数に基づいて選択演出の発動が許可されるようにした構成としている。以下では、第２の実施形態で述べた構成要素と同じ構成要素については重複記載を避けるため、詳細な説明は適宜省略する。
【０２０８】
本実施形態においても第２の実施形態と同様に、図柄変動表示ゲーム中に、遊技者に枠演出ボタン１３を操作させて図柄変動表示ゲームに関連して行われる表示演出または音響演出に関する演出種（演出の種類）を選択させる選択演出が実行されるようにした構成である。
【０２０９】
ここでは、第２の実施形態と同じく選択演出を伴うリーチ演出として、キャラクタがモンスターと戦うバトル形態の戦闘演出を例にとって説明する。
【０２１０】
演出制御部（演出制御基板２４）は、主制御基板２０から送られてくる特定種変動パターンコマンド（ここでは、図１６に示すハズレリーチ演出となる変動パターンコマンドＰ４とする）を受信すると、これに基づく演出シナリオの抽選を行う。この変動パターンコマンドＰ４に基づく演出シナリオ抽選により選択され得る演出シナリオとして「キャラクタ獲得演出」を設けてある。上記「キャラクタ獲得演出」では、リーチ演出種の選択肢（キャラクタ）が追加された旨が報知され、遊技者はその旨を知ることができる。たとえば、初期状態でキャラクタ「魔法使い」のみ選択可能である場合、上記「キャラクタ獲得演出」によりキャラクタ「僧侶」が追加された旨の報知がなされる。なお、追加されるキャラクタは第２の実施形態で説明したように、抽選により決定する構成としてもよい。また追加されるキャラクタには上限数が定めてあり、その上限数に達した段階でキャラクタが追加されないようになっている。この点、第２の実施形態で説明した発動抑制手段を有する構成と同じである。
【０２１１】
演出制御ＣＰＵ２４１は発動監視手段として、特定の演出（ここでは、「キャラクタ獲得演出」）が決定されたか否かを確認する特定演出決定確認手段と、特定演出決定確認手段により上記特定の演出の決定がなされたことを条件に上記選択演出の発動を許可することが可能な発動許可手段と、有しており、上記選択画面表示手段は、上記発動許可手段により上記選択演出の発動が許可されたことを条件に追加の演出種を選択肢に加えて、当該選択演出で選択可能な演出種の選択肢の範囲を明らかにした演出選択画面を液晶表示装置３６に表示する。
【０２１２】
上記特定演出決定確認手段は、キャラクタ獲得演出の決定がなされた回数を計数する特定演出計数手段を有しており、上記「キャラクタ獲得演出」が選択されるごとにその回数を加算していく。ここで混同してはならないのは、本例では、キャラクタ獲得演出の選択回数と追加されるリーチ演出種の数とが比例関係でない点である。本実施形態では、キャラクタ獲得演出が複数回選択された場合であっても、後述する「キャラクタ選択演出」が選択されるまで、それ以上演出種が追加されないようになっている。かかる関係の下で次回のキャラクタ選択演出が発動した際、その演出選択画面内にキャラクタ選択演出の選択対象であるリーチ演出種の選択肢（キャラクタ）が１種類分拡大された選択肢の範囲が表示される。したがって、たとえば、初期状態でキャラクタ「魔法使い」のみ選択可能である場合、次回のキャラクタ選択演出が発動されれば、その発動の誘因となったキャラクタ獲得演出の選択回数が複数回であったとしても、キャラクタ「僧侶」のみが追加された演出選択画面が表示されることになる。
【０２１３】
上記特定演出計数手段は、大当りが生起するまでの期間においてその計数機能が作用し、大当りが生起することで計数内容がクリアされるようになっている。しかし上記計数内容をクリアする条件は適宜定めることができ、たとえば、大当りが生起するまでの期間、または一定の変動回数までの期間、または一定の時間が経過するまでの期間、または予め設定された複数種類の期間から抽選により定められる期間が経過するまで、のいずれかの計数期間について、上記発動回数を加算し、上記計数期間の終了と共に計数値を初期値に戻す（クリアする）構成とすることができる。
【０２１４】
上記「キャラクタ獲得演出」が選択されると、発動許可手段により選択演出の発動が許可される。したがって、本実施形態では、上記発動監視手段による監視対象は、特定の演出制御コマンドそのものではなく、そのコマンドに基づいて選択され得る特定の演出シナリオとなる。
【０２１５】
演出制御部は、主制御基板２０から所定の変動パターンコマンド（ここでは、図１６に示すスーパーリーチ演出となる変動パターンコマンドＰ４、Ｐ５）を受信した場合、これに基づく図柄変動表示ゲームにおいては、上記発動許可手段により選択演出（キャラクタ選択演出）の発動が許可されたことで上記キャラクタ選択演出を発動させる。すなわち、当該図柄変動表示ゲーム中において、選択画面表示手段（演出制御ＣＰＵ２４１）によって液晶表示装置３６に演出選択画面が出現し、この演出選択画面内にキャラクタ選択演出の選択対象であるリーチ演出種の選択肢（キャラクタ）の範囲が明らかに表示される。同時に、この選択肢の範囲には、特定演出計数手段による計数値に応じて追加のリーチ演出種の選択肢（キャラクタ）が加えられ、その演出種の選択肢の範囲が拡大される。たとえば、上記キャラクタ獲得演出の選択回数が１回（上記特定演出計数手段による計数値が１回）において「キャラクタ選択演出」が選択されるという関係にある場合には、上記キャラクタ獲得演出の選択回数が１回のときに、初期状態のキャラクタ「魔法使い」に加え、キャラクタ「僧侶」の計２種類のキャラクタ、つまり２種類のリーチ演出種の選択が可能となる。この点、キャラクタ選択演出発動回数の増加に伴って新しくリーチ演出種が追加され、新しい演出種であるリーチ演出種が選択可能となる第２の実施形態と同じである。
【０２１６】
上記キャラクタ選択演出が発動されて演出選択画面が表示される場合、予設定手段（演出制御ＣＰＵ２４１）により、その演出選択画面に加えられた上記追加のリーチ演出種についての選択肢（キャラクタ）が、初期の選択状態として予め設定される。したがって、そのまま何もしないで選択演出の演出時間が経過すると、演出確定手段（演出制御ＣＰＵ２４１）によって、その時点で現に選択されている選択肢（キャラクタ）に係る上記追加のリーチ演出種が最終的に選択されたものとして確定する。
【０２１７】
このためキャラクタ選択演出において常に追加のキャラクタを選択することとし、追加のキャラクタに対応する戦闘演出を楽しみたいと欲する遊技者は、何ら演出選択操作をする必要なしに、常に自己の希望する戦闘演出を楽しむことができる。初期の選択位置が常に一定である場合には、キャラクタ選択演出が発動された際、演出選択操作をして追加のキャラクタに選択し直さなければならないが、そのような選択の煩わしさから開放される。
【０２１８】
もちろん、上記追加のキャラクタ以外のキャラクタを選択したい遊技者は、演出用操作手段としての枠演出ボタン１３を操作することで、演出選択画面に表示された選択肢の範囲から自己が希望する１つのキャラクタ（リーチ演出種）を選択することができ、選択したキャラクタとモンスターとの戦闘演出を楽しむことができる。
【０２１９】
［第４の実施形態］
次に、第４の実施形態として、図柄変動ゲーム中に小当りに当選し、その小当り後に展開される表示演出または音響演出に関する演出種（演出モード）を遊技者に選択させるモード選択演出（選択演出）が、遊技中に出現するようにした構成について説明する。この選択演出における演出種（演出モード）の選択肢は、図柄変動ゲーム中に小当りに当選することを条件に増加し、遊技者は演出モードＡ、Ｂ、Ｃ・・・などから任意に選択することが可能となる。
【０２２０】
主制御部（主制御基板２０）は、演出制御コマンドとして、少なくとも大当り種別情報を含む変動パターンコマンドを作成し、これを演出制御部（演出制御基板２４）に指示する。このコマンドには大当りの複数の種別のうち特定当り（小当り）の当選を示す特定当り情報が含まれる。
【０２２１】
本実施形態では、上記発動監視手段としてのコマンド確認手段により上記特定当り情報を含む演出制御コマンドであることが確認された場合、上記発動許可手段によりモード選択演出の発動が許可される。
【０２２２】
ここでは上記モード選択演出の発動が許可されている状態下において、所定の遊技期間中に枠演出ボタン１３の操作が確認されることにより、上記モード選択演出が発動する構成となっている。所定の遊技期間中とは、たとえば、図柄変動表示ゲームが行われていない非図柄遊技期間中（図柄変動表示ゲームの一部の期間を含む（たとえば図柄変動表示ゲーム開始後、所定の時間が経過するまで））である。上記非図柄遊技期間中に演出種である演出モードの切り替え選択が可能なように構成することで、次回の図柄変動表示ゲームにおいては、演出モード選択演出後に展開される演出の演出モード下で遊技に興じることができる。
【０２２３】
上記非図柄遊技期間中に遊技者による枠演出ボタン１３の操作が確認されると、選択画面表示手段により演出種（演出モード）の選択肢の範囲を明らかにした演出選択画面を液晶表示装置３６に表示する。この選択画面表示手段は、上記モード選択演出の発動が許可されることを条件に、上記演出種（演出モード）を追加して選択肢の範囲を拡大する。このため、本実施形態の演出制御部（演出制御ＣＰＵ２４１）は、特定当り情報を含む演出制御コマンドに基づいて、小当り当選回数を計数する機能部（当選回数計数手段）を有し、選択画面表示手段は、その計数値に基づいて演出種（演出モード種）を追加して選択肢の範囲を拡大する。なお、上記当選回数計数手段は大当りが生起するまでの期間においてその計数機能が作用し、大当りが生起することで計数内容がクリアされるようになっている。しかし上記計数内容をクリアする条件は適宜定めることができ、たとえば、大当りが生起するまでの期間、または一定の変動回数までの期間、または一定の時間が経過するまでの期間、または予め設定された複数種類の期間から抽選により定められる期間が経過するまで、のいずれかの計数期間について、上記当選回数を計数し、上記計数期間の終了と共に計数値を初期値に戻す（クリアする）構成とすることができる。
【０２２４】
この演出選択画面が表示された際には、演出選択画面に加えられた追加の演出種（演出モード）についての選択肢が、予設定手段（演出制御ＣＰＵ２４１）により初期の選択状態として予め設定される。
【０２２５】
また演出確定手段（演出制御ＣＰＵ２４１）を有しており、上記モード選択演出の演出時間が経過した時点で、上記予設定手段または手操作選択手段により現に選択されている選択肢の演出種（演出モード）を、最終的に選択されたものとして確定する。したがって、このモード選択演出においては、何もしないで放置しておくと、予設定手段により初期の選択状態として予め設定された上記追加の演出種（演出モード）についての選択肢が、自動的に確定された演出種（演出モード）として設定される。
【０２２６】
よって、常に新しく追加された上記追加の演出種に対応する演出モードを選択して、小当り後に展開される表示演出または音響演出を楽しもうと欲する遊技者は、何ら演出選択操作をする必要なしに、自動的にその希望する演出モードの選択を行うことができる。このため、図柄変動ゲーム中に小当りに当選してモード選択演出が発動されるたびに、自己の希望する演出モードへ切り替える、という選択操作を手動で行う煩わしさから開放される。
【０２２７】
以上では、小当り当選することを条件に演出種（演出モード）が追加される例について説明したが、図柄変動表示ゲームが所定回数行われたことを条件に演出種（演出モード）が追加する構成としてもよい。図柄変動表示ゲームが行われた回数は、図柄変動表示ゲーム開始時または終了時に主制御部（主制御基板２０）側から送られてくる変動パターンコマンドまたは装飾図柄指定コマンドあるいは演出停止コマンドに基づいて演出制御部（演出制御基板２４）側が把握することができる。
【０２２８】
また上記非図柄遊技期間中の一例として、図柄変動表示ゲームの図柄の変動動作と停止動作が一定期間以上行われない、いわゆるデモ状態中において、選択演出後の演出モードを切り替えることができるモード選択演出の発動がなされるように構成してもよい。
【０２２９】
すなわち、演出モードの演出種が増加して行く途中、デモ状態（デモ画面表示中）に移行した場合において、上記小当り回数または上記変動回数が所定値に達してモード選択演出の発動条件が達成されたときは、デモ状態中に切り替わったことを条件にモード選択演出が発動される。デモ状態下での演出選択画面の出現は、第１〜第３実施形態のように図柄変動表示ゲーム期間中に演出選択画面を出現させる替わりに、または図柄変動表示ゲームが終了してデモ状態に切り替わるまでの期間中に演出選択画面を出現させることと並行して、生じるように構成することもできる。
【産業上の利用可能性】
【０２３０】
本発明は、大当り中に実行するＢＧＭの再生演奏やストーリー画像などの演出を、遊技者の嗜好に応じて選択可能にした遊技機に適用することができる。
【符号の説明】
【０２３１】
１      パチンコ遊技機、
２      前面枠、
３      遊技盤、
３ａ      遊技領域、
４      外枠、
５      球誘導レール、
６      ガラス扉枠、
７      前面操作パネル、
８      上受け皿ユニット、
９      上受け皿、
１１      球貸しボタン、
１２      プリペイドカード排出ボタン（カード返却ボタン）、
１３      枠演出ボタン、
１３１      十字キースイッチ、
１４      球抜きボタン、
１５      発射操作ハンドル、
２０      主制御基板、
２０１      主制御ＣＰＵ、
２０２      ＲＯＭ、
２０３      ＲＡＭ、
２４      演出制御基板、
２４１      演出制御ＣＰＵ、
２４２      演出制御ＲＯＭ、
２４３      演出制御ＲＡＭ、
２４４      大当り中演出制御プログラム、
２４５      大当り中演出データ、
２５      液晶制御基板、
３４      上始動口（第１の特別図柄始動口）、
３５      下始動口（第２の特別図柄始動口）、
３４ａ、３５ａ      特別図柄始動口センサ、
３６      液晶表示装置、
３６１      演出選択画面、
３６２      ＢＧＭの選択肢、
３６３      カーソル、
３７      普通図柄始動口（ゲート）、
３７ａ      普通図柄始動口センサ
３８      特別図柄表示装置、
３９      普通図柄表示装置、
４０      大入賞口、
４１      普通変動入賞装置、
４２      特別変動入賞装置、
４２ｂ      開放扉、
４３      一般入賞口、
４４      風車、
４５      装飾ランプ、
４５ａ      光表示装置、
４６      スピーカ、
４６ａ      音響発生装置、
４７      可動翼片、
４８      センター飾り、
４９      アウト口、
５２      液晶制御ＣＰＵ、
５３      液晶制御ＲＯＭ、
５４      液晶制御ＲＡＭ、
５５      画像データＲＯＭ、
５６      ＶＲＡＭ、
６０      ＶＤＰ。
【図１】
0005887043.tif 000002
【図２】
0005887043.tif 000003
【図３】
0005887043.tif 000004
【図４】
0005887043.tif 000005
【図５】
0005887043.tif 000006
【図６】
0005887043.tif 000007
【図７】
0005887043.tif 000008
【図８】
0005887043.tif 000009
【図９】
0005887043.tif 000010
【図１０】
0005887043.tif 000011
【図１１】
0005887043.tif 000012
【図１２】
0005887043.tif 000013
【図１３】
0005887043.tif 000014
【図１４】
0005887043.tif 000015
【図１５】
0005887043.tif 000016
【図１６】
0005887043.tif 000017